(57)【特許請求の範囲】
【請求項１】
ネットワークを介して接続されたサーバ装置と情報通信端末から成る情報通信システムにおいて、
前記サーバ装置は、
前記情報通信端末宛ての受信データを記憶する受信データ記憶手段と、
前記情報通信端末から優先受信要求を受信した場合、記憶されている前記情報通信端末宛ての前記受信データのうち、前記情報通信端末から予め登録されている送信元に対応する受信データを抽出して前記情報通信端末に提供する受信データ提供手段と
を備え、
前記情報通信端末は、
予め登録している送信元からの受信データの提供を前記サーバ装置に要求するための使用者の操作を受け付ける優先一括受付手段と、
前記操作に応じ、前記ネットワークを通じて前記サーバ装置に接続する接続手段と、
前記操作に応じ、予め登録している送信元からの受信データのみの提供を要求するための前記優先受信要求を生成して、前記サーバ装置に送信する優先受信要求送出手段と、
前記優先受信要求に応じて前記サーバ装置から送信される予め登録されている送信元に対応する受信データを受信する受信手段と、
前記優先受信要求に応じて前記サーバ装置から送信された前記受信データの受信が終了したことに応じ、前記サーバ装置との接続を切断する切断手段と
を備える
情報通信システム。
【請求項２】
前記サーバ装置は、
前記情報通信端末から予め登録されている送信元についての情報である優先受信送信元情報を前記情報通信端末毎に記憶する優先受信送信元情報記憶手段を
さらに備え、
前記受信データ提供手段は、前記優先受信送信元情報に基づいて、前記情報通信端末宛ての前記受信データの中から、予め登録している前記送信元からの受信データを抽出する
請求項１に記載の情報通信システム。
【請求項３】
前記サーバ装置は、
前記情報通信端末宛てであって、予め登録している前記送信元からの受信データが着信したことに応じ、予め登録している前記送信元からの受信データが着信したことを前記情報通信端末に通知する第１の着信通知手段を
さらに備え、
前記情報通信端末は、
前記サーバ装置からの前記着信の通知に対応し、使用者に対して予め登録している前記送信元からの受信データが着信したことを知らせる第２の通知手段を
さらに備える
請求項１に記載の情報通信システム。
【請求項４】
前記情報通信端末は、
前記優先受信送信元情報を保持する優先受信送信元情報保持手段と、
使用者の指示に応じて、保持されている前記優先受信送信元情報を前記サーバ装置に提供する優先受信送信元情報送出手段と
をさらに備える
請求項２に記載の情報通信システム。
【請求項５】
前記ネットワークは、携帯電話網であり、
前記情報通信端末は、
前記携帯電話網を介して通信するための無線通信手段を
さらに備える
請求項１乃至４に記載の情報通信システム。
【請求項６】
ネットワークを介して情報通信端末が接続されるサーバ装置において、
前記情報通信端末宛ての受信データを記憶する受信データ記憶手段と、
前記情報通信端末から優先受信要求を受信した場合、記憶されている前記情報通信端末宛ての前記受信データのうち、前記情報通信端末から予め登録されている送信元に対応する受信データを抽出して前記情報通信端末に提供する受信データ提供手段と
を備え、
前記情報通信端末との接続は、提供された受信データの受信を終了したことに応じた前記情報通信端末の動作によって切断される
サーバ装置。
【請求項７】
前記情報通信端末から予め登録されている送信元についての情報である優先受信送信元情報を前記情報通信端末毎に記憶する優先受信送信元情報記憶手段を
さらに備え、
前記受信データ提供手段は、前記優先受信送信元情報に基づいて、前記情報通信端末宛ての前記受信データの中から、予め登録している前記送信元からの受信データを抽出する
請求項６に記載のサーバ装置。
【請求項８】
前記情報通信端末宛てであって、予め登録している前記送信元からの受信データが着信したことに応じ、予め登録している前記送信元からの受信データが着信したことを前記情報通信端末に通知する着信通知手段を
さらに備える請求項６に記載のサーバ装置。
【請求項９】
ネットワークを介してサーバ装置に接続する情報通信端末において、
予め登録している送信元からの受信データの提供を前記サーバ装置に要求するための使用者の操作を受け付ける優先一括受付手段と、
前記操作に応じ、前記ネットワークを通じて前記サーバ装置に接続する接続手段と、
前記操作に応じ、予め登録している送信元からの受信データのみの提供を要求するための優先受信要求を生成して、前記サーバ装置に送信する優先受信要求送出手段と、
前記優先受信要求に応じて前記サーバ装置から送信される予め登録されている送信元に対応する受信データを受信する受信手段と、
前記優先受信要求に応じて前記サーバ装置から送信された前記受信データの受信が終了したことに応じ、前記サーバ装置との接続を切断する切断手段と
を備える情報通信端末。
【請求項１０】
前記サーバ装置からの、予め登録している前記送信元からの受信データが着信したことを示す通知に対応し、使用者に対して予め登録している前記送信元からの受信データが着信したことを知らせる通知手段を
さらに備える請求項９に記載の情報通信端末。
【請求項１１】
使用者が予め登録している送信元についての情報である優先受信送信元情報を保持する優先受信送信元情報保持手段と、
使用者の指示に応じて、保持されている前記優先受信送信元情報を前記サーバ装置に提供する優先受信送信元情報送出手段と
をさらに備える請求項９に記載の情報通信端末。
【請求項１２】
前記ネットワークは、携帯電話網であり、
前記携帯電話網を介して通信するための無線通信手段を
さらに備える請求項９乃至１１に記載の情報通信端末。
【請求項１３】
ネットワークを介して接続されたサーバ装置と情報通信端末から成る情報通信システムの情報通信方法において、
前記サーバ装置による、前記情報通信端末宛ての受信データを記憶する受信データ記憶ステップと、
前記情報通信端末による、予め登録している送信元からの受信データの提供を前記サーバ装置に要求するための使用者の操作を受け付ける優先一括受付ステップと、
前記情報通信端末による、前記操作に応じ、前記ネットワークを通じて前記サーバ装置に接続する接続ステップと、
前記情報通信端末による、前記操作に応じ、予め登録している送信元からの受信データのみの提供を要求するための前記優先受信要求を生成して、前記サーバ装置に送信する優先受信要求送出ステップと、
前記サーバ装置による、前記情報通信端末から優先受信要求を受信した場合、記憶されている前記情報通信端末宛ての前記受信データのうち、前記情報通信端末から予め登録されている送信元に対応する受信データを抽出して前記情報通信端末に提供する受信データ提供ステップと、
前記情報通信端末による、前記優先受信要求に応じて前記サーバ装置から送信される予め登録されている送信元に対応する受信データを受信する受信ステップと、
前記情報通信端末による、前記優先受信要求に応じて前記サーバ装置から送信された前記受信データの受信が終了したことに応じ、前記サーバ装置との接続を切断する切断ステップと
を含む情報通信方法。
【発明の詳細な説明】
【技術分野】
【０００１】
この発明は、例えば、電子メール通信やファクシミリ通信などの通信サービスを提供する情報通信システム、情報通信方法、および、これらシステム、方法に用いられるサーバ装置、情報通信端末に関する。
【背景技術】
【０００２】
最近、ＰＨＳ端末などの携帯無線通信端末の普及と、これら携帯無線通信端末を用いたデータ通信の伝送速度の高速化により、音声通信だけでなく、例えばテキストデータや画像データなどの種々のデータを無線通信するようにする無線データ通信サービスが注目されている。
【０００３】
例えば、ＰＨＳ端末を使用する例では、伝送速度が３２ｋビット／秒でのデータ通信が可能となり、アナログ電話回線でモデムを使用した場合の伝送速度の２８．８ｋビット／秒または３３．６ｋビット／秒と同程度の伝送速度となり、電子メールのやり取りや、ファクシミリ通信などが、携帯無線通信端末により屋外から行える環境が整ってきている。
【発明の開示】
【発明が解決しようとする課題】
【０００４】
例えば、インターネットなどのネットワークに接続されたサーバ装置と呼ばれるホストコンピュータに対して、モデムを介してパーソナルコンピュータを接続し、前記サーバ装置において受信され、蓄積するようにされている自分宛ての電子メールを取得したり、あるいは、前記サーバ装置を通じて、相手先を指定した電子メールの送信を行うなどの電子メール通信がよく行われるようになっているが、携帯型情報処理表示端末にも、モデムおよびデータ通信機能を付加したり、ＰＨＳ端末に接続するなどして、外出先などにおいても前述したような電子メール通信を行うことができるようにしたものが提供されている。
【０００５】
そして、前述のように、パーソナルコンピュータや携帯型情報処理表示端末などの情報通信端末を用いて、ネットワークに接続されたサーバ装置に蓄積されている自分宛ての電子メールの受信データを取得する場合には、次のようにすることによりできる。
【０００６】
まず情報通信端末からサーバ装置に対して接続要求を送出し、情報通信端末とサーバ装置との間で通信回線を接続する。そして、情報通信端末は、前記サーバ装置より、前記サーバに蓄積されている自分宛ての電子メールの受信データの一覧リストの提供を受ける。この受信データの一覧リストは、受信データの送信元の電子メールアドレスや、電子メールの内容を示すタイトル情報や、その電子メールの受信日時などを示す情報などを有している。
【０００７】
情報通信端末の使用者は、この受信データの一覧リストの中から、送信を要求する電子メールの受信データを選択し、サーバ装置に対して、選択した電子メールの受信データの送信を要求する。サーバ装置は、情報通信端末からの送信要求に応じて、要求された電子メールの受信データを抽出し、これを要求元の情報通信端末に送信する。
【０００８】
これにより、情報通信端末の使用者は、自分宛ての電子メールの受信データを取得して、情報通信端末の表示画面に表示するなどして利用することができる。
【０００９】
ところで、前述したように、サーバ装置に蓄積されている自分宛ての電子メールの受信データを情報通信端末を用いて取得する場合、情報通信端末の使用者は、サーバ装置と情報通信端末との間に通信回線を接続し、サーバ装置から提供される自分宛ての電子メールの受信データの一覧リストから目的とする電子メールの受信データを選択して、サーバ装置に対して提供を要求しなければならない。
【００１０】
したがって、例えば、重要な相手先からの電子メールの受信データなど、優先して情報通信端末に取り込んで見なければならない電子メールの受信データについても、情報通信端末の使用者が、サーバ装置から提供される電子メールの受信データの一覧リストを通じて選択して、提供を要求しなければ取得することができないので面倒である。
【００１１】
また、サーバ装置に自分宛ての電子メールの受信データが多数記憶されているような場合には、重要な相手先からの電子メールの受信データが届いているにもかかわらず、これを見落としてしまったり、送信を要求する電子メールの受信データの選択を間違えたりするなどして、当該重要な相手先からの電子メールの受信データを取得するのが遅れるなどの不都合が発生する場合があると考えられる。
【００１２】
この発明は、以上の点にかんがみ、サーバ装置に蓄積されている自分宛ての受信データのうち、目的とする相手先からの受信データを優先的に取得することができる情報通信システム、情報通信方法、この情報通信システムおよび情報通信方法に使用する情報通信端末、サーバ装置を提供することを目的とする。
【課題を解決するための手段】
【００１３】
本発明の情報通信システムは、ネットワークを介して接続されたサーバ装置と情報通信端末から成る情報通信システムにおいて、前記サーバ装置は、前記情報通信端末宛ての受信データを記憶する受信データ記憶手段と、前記情報通信端末から優先受信要求を受信した場合、記憶されている前記情報通信端末宛ての前記受信データのうち、前記情報通信端末から予め登録されている送信元に対応する受信データを抽出して前記情報通信端末に提供する受信データ提供手段とを備え、前記情報通信端末は、予め登録している送信元からの受信データの提供を前記サーバ装置に要求するための使用者の操作を受け付ける優先一括受付手段と、前記操作に応じ、前記ネットワークを通じて前記サーバ装置に接続する接続手段と、前記操作に応じ、予め登録している送信元からの受信データのみの提供を要求するための前記優先受信要求を生成して、前記サーバ装置に送信する優先受信要求送出手段と、前記優先受信要求に応じて前記サーバ装置から送信される予め登録されている送信元に対応する受信データを受信する受信手段と、前記優先受信要求に応じて前記サーバ装置から送信された前記受信データの受信が終了したことに応じ、前記サーバ装置との接続を切断する切断手段とを備える。
【００１４】
本発明の情報通信システムの前記サーバ装置は、前記情報通信端末から予め登録されている送信元についての情報である優先受信送信元情報を前記情報通信端末毎に記憶する優先受信送信元情報記憶手段をさらに備えることができ、前記受信データ提供手段は、前記優先受信送信元情報に基づいて、前記情報通信端末宛ての前記受信データの中から、予め登録している前記送信元からの受信データを抽出するようにすることができる。
【００１５】
本発明の情報通信システムの前記サーバ装置は、前記情報通信端末宛てであって、予め登録している前記送信元からの受信データが着信したことに応じ、予め登録している前記送信元からの受信データが着信したことを前記情報通信端末に通知する第１の着信通知手段をさらに備えることができ、前記情報通信端末は、前記サーバ装置からの前記着信の通知に対応し、使用者に対して予め登録している前記送信元からの受信データが着信したことを知らせる第２の通知手段をさらに備えることができる。
【００１６】
本発明の情報通信システムの前記情報通信端末は、前記優先受信送信元情報を保持する優先受信送信元情報保持手段と、使用者の指示に応じて、保持されている前記優先受信送信元情報を前記サーバ装置に提供する優先受信送信元情報送出手段とをさらに備えることができる。
【００１７】
前記ネットワークは、携帯電話網であり、本発明の情報通信システムの前記情報通信端末は、前記携帯電話網を介して通信するための無線通信手段をさらに備えることができる。
【００１８】
本発明の情報通信システムにおいては、サーバ装置により、情報通信端末宛ての受信データが記憶され、情報通信端末から優先受信要求を受信した場合、記憶されている情報通信端末宛ての受信データのうち、情報通信端末から予め登録されている送信元に対応する受信データが抽出されて情報通信端末に提供される。また、情報通信端末により、予め登録している送信元からの受信データの提供をサーバ装置に要求するための使用者の操作が受け付けられ、その操作に応じ、ネットワークを通じてサーバ装置に接続され、予め登録している送信元からの受信データのみの提供を要求するための優先受信要求が生成されて記サーバ装置に送信され、優先受信要求に応じてサーバ装置から送信される予め登録されている送信元に対応する受信データが受信される。さらに、優先受信要求に応じてサーバ装置から送信された受信データの受信が終了したことに応じ、サーバ装置との接続が切断される。
【００１９】
本発明のサーバ装置は、ネットワークを介して情報通信端末が接続されるサーバ装置において、前記情報通信端末宛ての受信データを記憶する受信データ記憶手段と、前記情報通信端末から優先受信要求を受信した場合、記憶されている前記情報通信端末宛ての前記受信データのうち、前記情報通信端末から予め登録されている送信元に対応する受信データを抽出して前記情報通信端末に提供する受信データ提供手段とを備え、前記情報通信端末との接続は、提供された受信データの受信を終了したことに応じた前記情報通信端末の動作によって切断される。
【００２０】
本発明のサーバ装置は、前記情報通信端末から予め登録されている送信元についての情報である優先受信送信元情報を前記情報通信端末毎に記憶する優先受信送信元情報記憶手段をさらに備えることができ、前記受信データ提供手段は、前記優先受信送信元情報に基づいて、前記情報通信端末宛ての前記受信データの中から、予め登録している前記送信元からの受信データを抽出するようにすることができる。
【００２１】
本発明のサーバ装置は、前記情報通信端末宛てであって、予め登録している前記送信元からの受信データが着信したことに応じ、予め登録している前記送信元からの受信データが着信したことを前記情報通信端末に通知する着信通知手段をさらに備えることができる。
【００２２】
本発明のサーバ装置においては、情報通信端末宛ての受信データが記憶され、情報通信端末から優先受信要求を受信した場合、記憶されている情報通信端末宛ての受信データのうち、情報通信端末から予め登録されている送信元に対応する受信データが抽出されて情報通信端末に提供される。
【００２３】
本発明の情報通信端末は、ネットワークを介してサーバ装置に接続する情報通信端末において、予め登録している送信元からの受信データの提供を前記サーバ装置に要求するための使用者の操作を受け付ける優先一括受付手段と、前記操作に応じ、前記ネットワークを通じて前記サーバ装置に接続する接続手段と、前記操作に応じ、予め登録している送信元からの受信データのみの提供を要求するための優先受信要求を生成して、前記サーバ装置に送信する優先受信要求送出手段と、前記優先受信要求に応じて前記サーバ装置から送信される予め登録されている送信元に対応する受信データを受信する受信手段と、前記優先受信要求に応じて前記サーバ装置から送信された前記受信データの受信が終了したことに応じ、前記サーバ装置との接続を切断する切断手段とを備える。
【００２４】
本発明の情報通信端末は、前記サーバ装置からの、予め登録している前記送信元からの受信データが着信したことを示す通知に対応し、使用者に対して予め登録している前記送信元からの受信データが着信したことを知らせる通知手段をさらに備えることができる。
【００２５】
本発明の情報通信端末は、使用者が予め登録している送信元についての情報である優先受信送信元情報を保持する優先受信送信元情報保持手段と、使用者の指示に応じて、保持されている前記優先受信送信元情報を前記サーバ装置に提供する優先受信送信元情報送出手段とをさらに備えることができる。
【００２６】
前記ネットワークは、携帯電話網であり、本発明の情報通信端末は、前記携帯電話網を介して通信するための無線通信手段をさらに備えることができる。
【００２７】
本発明の情報通信端末においては、予め登録している送信元からの受信データの提供をサーバ装置に要求するための使用者の操作が受け付けられ、その操作に応じ、ネットワークを通じてサーバ装置に接続され、予め登録している送信元からの受信データのみの提供を要求するための優先受信要求が生成されて記サーバ装置に送信され、優先受信要求に応じてサーバ装置から送信される予め登録されている送信元に対応する受信データが受信される。さらに、優先受信要求に応じてサーバ装置から送信された受信データの受信が終了したことに応じ、サーバ装置との接続が切断される。
【００２８】
本発明の情報通信方法は、ネットワークを介して接続されたサーバ装置と情報通信端末から成る情報通信システムの情報通信方法において、前記サーバ装置による、前記情報通信端末宛ての受信データを記憶する受信データ記憶ステップと、前記情報通信端末による、予め登録している送信元からの受信データの提供を前記サーバ装置に要求するための使用者の操作を受け付ける優先一括受付ステップと、前記情報通信端末による、前記操作に応じ、前記ネットワークを通じて前記サーバ装置に接続する接続ステップと、前記情報通信端末による、前記操作に応じ、予め登録している送信元からの受信データのみの提供を要求するための前記優先受信要求を生成して、前記サーバ装置に送信する優先受信要求送出ステップと、前記サーバ装置による、前記情報通信端末から優先受信要求を受信した場合、記憶されている前記情報通信端末宛ての前記受信データのうち、前記情報通信端末から予め登録されている送信元に対応する受信データを抽出して前記情報通信端末に提供する受信データ提供ステップと、前記情報通信端末による、前記優先受信要求に応じて前記サーバ装置から送信される予め登録されている送信元に対応する受信データを受信する受信ステップと、前記情報通信端末による、前記優先受信要求に応じて前記サーバ装置から送信された前記受信データの受信が終了したことに応じ、前記サーバ装置との接続を切断する切断ステップとを含む。
【００２９】
本発明の情報通信方法においては、情報通信端末により、予め登録している送信元からの受信データの提供をサーバ装置に要求するための使用者の操作が受け付けられ、その操作に応じ、ネットワークを通じてサーバ装置に接続され、予め登録している送信元からの受信データのみの提供を要求するための優先受信要求が生成されて記サーバ装置に送信される。一方、サーバ装置により、情報通信端末宛ての受信データが記憶され、情報通信端末から優先受信要求を受信した場合、記憶されている情報通信端末宛ての受信データのうち、情報通信端末から予め登録されている送信元に対応する受信データが抽出されて情報通信端末に提供される。そして、情報通信端末により、優先受信要求に応じてサーバ装置から送信される予め登録されている送信元に対応する受信データが受信され、優先受信要求に応じてサーバ装置から送信された受信データの受信が終了したことに応じ、サーバ装置との接続が切断される。
【発明の効果】
【００３６】
本発明の情報通信システムによれば、情報通信端末は、優先受信送信元からの受信データを、優先受信送信元以外からの受信データに優先して、かつ、確実に取得することができる。
【００３７】
本発明のサーバ装置によれば、情報通信端末に対して、優先受信送信元からの受信データを、優先受信送信元以外からの受信データに優先して、かつ、確実に提供することができる。
【００３８】
本発明の情報通信端末によれば、優先受信送信元からの受信データを、優先受信送信元以外からの受信データに優先して、かつ、確実に取得することができる。
【００３９】
本発明の情報通信方法によれば、情報通信端末は、優先受信送信元からの受信データを、優先受信送信元以外からの受信データに優先して、かつ、確実に取得することができる。
【００４０】
また、請求項５の発明によれば、優先受信送信元情報は情報通信端末において記憶し管理することができるので、情報通信端末に優先受信送信元情報を登録すれば、即座にサーバ装置に対して優先受信送信元からの受信データの送信を要求することができる。
【００４１】
また、請求項６の発明によれば、無線通信機能を備える携帯端末により情報通信端末が構成されるので、情報通信端末の使用者は、外出先など、任意の場所から、任意のときに、優先受信送信元からの受信データを取得することができる。
【発明を実施するための最良の形態】
【００４２】
以下、この発明による情報通信装置の実施の形態を、図を参照しながら説明する。  
この実施の形態においては、１個の共通サーバ装置に対して、このサーバ装置と契約関係にある複数個の情報通信端末がネットワークを通じて接続されて情報通信システムが構成される。
【００４３】
この実施の形態の場合、情報通信端末は、携帯無線通信端末の構成とされ、共通サーバ装置からの情報提供サービスなどの提供サービスを受ける機能を備えるほか、ＰＨＳ（パーソナル・ハンディホン・システム）の電話機能およびファクシミリ、電子メールのデータ通信機能をも備える構成とされる。そして、電子メール通信、ファクシミリ通信、情報提供サービスは、個々の携帯無線通信端末と前記サーバ装置とが協働することにより、行われるように構成されている。
【００４４】
そして、各携帯無線通信端末宛ての、電子メールやファクシミリの受信データは、前記サーバ装置において受信されて、蓄積されるので、各携帯無線通信端末は、サーバ装置との間で通信回線を接続し、自己宛ての受信データの提供を受けるようにする。このとき、各携帯無線通信端末は、サーバ装置より自己宛ての受信データの一覧リストの提供を受けて、目的とする受信データを選択し、この選択した受信データの送信要求をサーバ装置に対して送信することにより、目的とする受信データの提供を受ける。
【００４５】
この実施の形態においては、詳しくは後述するように、各携帯無線通信端末の使用者が優先的に受信を希望する電子メールやファクシミリの受信データの送信元（優先受信送信元）についての情報である優先受信送信元情報を予めサーバ装置に登録しておくことにより、サーバ装置は、携帯無線通信端末からの要求に応じて、要求元の携帯無線通信端末の優先受信送信元からの受信データを優先して送出し、要求元の携帯無線通信端末に提供することができるようにされている。
【００４６】
これにより、携帯無線通信端末の使用者は、前述したように自分宛ての電子メールやファクシミリの受信データの一覧リストから目的とする受信データを選択するなどの手間を掛けることなく、自動的かつ確実に優先受信送信元からの電子メールやファクシミリの受信データを取得することができるようにされている。なお、以下においては、説明を簡単にするため、電子メールの受信データについて、優先受信送信元情報を登録しておき、この優先受信送信元からの電子メールの受信データを優先的かつ自動的に取得する場合を例に説明する。
【００４７】
［ネットワークシステムの説明］  
まず、この実施の形態の通信ネットワークシステムについて説明する。  
図１は、この発明の実施の形態が適用された通信ネットワークシステムの概念構成を説明するための図であり、この図１において、１は共通サーバ装置と契約関係がある携帯無線通信端末、２は共通サーバ装置である。複数個の携帯無線通信端末１と、共通の共通サーバ装置２とは、携帯無線通信端末用のネットワーク３と、このネットワーク３に対して、１〜複数個のアクセスポイント４を通じて接続される専用基幹ネットワーク５を通じて接続される。
【００４８】
携帯無線通信端末用ネットワーク３には、共通サーバ装置２と契約関係にない他の携帯無線通信端末も接続されるが、後述するような共通サーバ装置２からのデータ通信サービスを受けることができる携帯無線通信端末は、予め、この共通サーバ装置２と契約関係が結ばれた携帯無線通信端末１のみである。共通サーバ装置２との契約関係がない携帯無線通信端末との混同を避けるため、以下の説明においては、共通サーバ装置２と契約関係にある携帯無線通信端末を会員端末と呼ぶことにする。
【００４９】
共通サーバ装置２と会員端末１との契約関係が成立すると、この実施の形態においても、会員には会員識別情報と、パスワードが与えられ、また、会員端末１から共通サーバ装置２に接続するためのアドレス情報も与えられる。
【００５０】
しかし、この実施の形態では、契約を結んだ会員には、これら会員識別情報やパスワードなどの識別情報およびサーバ装置のアドレス情報などの接続情報が予め記憶されたメモリが組み込まれた会員端末が渡されることにより、会員は、これらの識別情報や接続情報を意識することはない。そして、従来のように、これらの識別情報や接続情報を会員が自分の端末に入力する手間は全く不用である。すなわち、会員端末１のそれぞれには、それぞれの端末を識別する端末ＩＤが付与されて、その端末ＩＤが会員識別情報になる。
【００５１】
一方、共通サーバ装置２の会員管理サーバには、予め、端末ＩＤが登録されていて、会員契約が生じ、当該端末が会員に渡されて会員端末１となると、それを会員管理サーバに登録するようにする。
【００５２】
パスワードはすべての会員端末に共通に割り当てられる。もちろん、会員端末毎に、個別に設定して管理してもよい。共通サーバ装置２は、このパスワードも管理する。
【００５３】
共通サーバ装置２のアドレス情報は、すべての会員端末のメモリに対して共通に記憶される。ただし、後述もするように、共通サーバ装置２に接続される通信経路が会員端末によっては異なる場合もあり、その場合には、途中経由するサーバ装置などのアドレスが会員端末によって異なる。
【００５４】
以上のように、この実施の形態の会員端末には、この会員端末から共通サーバ装置に対して通信路の接続を要求する際に必要となるユーザＩＤ（この場合には情報通信端末ＩＤに等しい）やパスワードなどの識別情報、サーバ装置のアドレス情報などの接続情報が記憶されたメモリが組み込まれている。そして、共通サーバ装置は、これらを会員情報として管理している。
【００５５】
これにより、会員契約をした場合に必要となる共通サーバ装置との接続契約の申し込み処理を簡略化すると共に、通常、申し込み処理終了後に情報通信端末に対して行わなければならないユーザＩＤやパスワード、サーバ装置のアドレス情報の会員による入力作業を全く不用にすることができ、会員は、会員端末を取得するとすぐに、その会員端末を用いて、共通サーバ装置にアクセスし、共通サーバ装置が提供することのできる電子メール通信、ファクシミリ通信、情報提供サービスなどのデータ通信サービスのすべてを利用することができるようにされている。
【００５６】
複数個の会員端末１および他の同種の携帯無線通信端末のそれぞれは、例えば電波の届く範囲を考慮した所定のエリア単位に設けられる無線基地局６に対して無線接続される。無線基地局６同志の間の接続など、携帯無線通信端末用のネットワーク３では、例えば光ケーブルが用いられる。
【００５７】
専用基幹ネットワーク５に対しては、このネットワーク５を管理するネットワーク管理サーバ装置７が接続される。このネットワーク管理サーバ装置７は、共通サーバ装置２と会員端末１との間の、いわゆるルーティングを管理する。したがって、ネットワーク管理サーバ装置７でのルーティング管理上から見たときには、共通サーバ装置２は、専用基幹ネットワーク５に接続される端末装置の一つとして位置付けることができる。なお、この場合、このネットワーク管理サーバ装置７は、インターネット８に対しても接続される。
【００５８】
前述した会員端末１に記憶されているアドレス情報には、このネットワーク管理サーバ装置７のアドレスが含まれるものである。
【００５９】
そして、この実施の形態においては、ネットワーク管理サーバ装置７は、共通サーバ装置２に対して直接的にも接続され、共通サーバ装置２の委託を受けて、会員端末１の認証を行うとともに、会員端末１からの共通サーバ装置２へのアクセス履歴などを、ネットワーク管理サーバ装置７から共通サーバ装置２に送るように構成されている。すなわち、この実施の形態では、会員端末１の課金ログ収集などの会員総合管理は、共通サーバ装置２が行うように構成している。
【００６０】
つまり、この実施の形態の場合、会員端末１は、共通サーバ装置２と契約関係があるのであって、ネットワーク管理サーバ装置７と契約関係にあるのではない。そして、共通サーバ装置２は、会員端末１のネットワーク接続上の管理をネットワーク管理サーバ装置７に委託するものであって、共通サーバ装置２とネットワーク管理サーバ装置７との間にも契約関係がある。したがって、共通サーバ装置２は、他の専用基幹ネットワークおよびそのネットワーク管理サーバ装置とも、前述の専用基幹ネットワーク５およびそのネットワーク管理サーバ装置７と全く同様の関係を持って接続されることが可能である。
【００６１】
したがって、会員端末のそれぞれには、それが配布されている会員の地域を考慮したネットワーク管理サーバを割り当てることが可能である。しかし、このネットワーク管理サーバのアドレスも、予め会員端末のメモリに書き込まれているため、会員自身がそれを意識することはない。
【００６２】
すなわち、この実施の形態の場合、共通サーバ装置２から見たときには、個々の会員端末１に対しては、特定の専用基幹ネットワークを割り当てて、各会員端末１からの共通サーバ装置２へのアクセスは、必ず、その会員端末用に割り当てた専用基幹ネットワークを通るように管理するのであるが、会員端末１から見た場合には、共通サーバ装置２とネットワーク管理サーバ装置７との間の契約関係は全く無関係であるので、会員端末１は、単に共通サーバ装置２だけにアクセスして共通サーバ装置２だけにより管理されているようになる。
【００６３】
このようなネットワーク管理構成によれば、例えば、共通サーバ装置２に個々のネットワーク管理サーバ装置７が備えるサービス機能をすべて持たせるようにすることにより、会員端末１の使用者は、各個のネットワーク管理サーバ装置７が備える種々のサービスを受けるために、個々のネットワーク管理サーバ装置７に対して契約するのではなく、共通サーバ装置２と契約関係を生じさせるだけで、この共通サーバ装置２が持つ種々のサービスを受けられるようになり、非常に便利である。
【００６４】
そして、共通サーバ装置２は、公衆回線網９に接続され、後述するように、会員端末１が、この公衆回線網９に接続されるファクシミリ端末やパーソナルコンピュータなどの通信端末１０との間で通信データの送受を行うことができるようにするための機能を備えている。
【００６５】
さらに、この実施の形態においては、共通サーバ装置２は、会員端末１に対して、情報提供サービスを行うために、提供情報のデータベースの一部となる記憶部を備える。また、共通サーバ装置２は、コンテンツ提供装置１１と接続されており、このコンテンツ提供装置１１から、会員への提供情報のデータベースの一部となる情報を取得して、会員端末１に提供するようにする。
【００６６】
コンテンツ提供装置１１は、それぞれ固有の提供情報を有する提供会社が備えるもので、共通サーバ装置２を有するサービス会社との契約により、共通サーバ装置２を通じて会員端末１に、その情報を提供するものである。図１では、コンテンツ提供装置１１は、１個だけ示したが、複数個のコンテンツ提供装置１１が共通サーバ装置２に接続される場合も勿論ある。
【００６７】
また、共通サーバ装置２とコンテンツ提供装置１１との接続態様は、専用線を通じて接続される場合と、インターネットなどのネットワークを通じて接続される場合とがある。
【００６８】
この実施の形態の場合、これら専用線やネットワークを通じて共通サーバ装置２に接続されるコンテンツ提供装置１１からの情報は、共通サーバ装置２が、会員端末１から、そのサービス提供要求があったときに、前記コンテンツ提供装置１１にアクセスして取得し、要求してきた会員端末１に提供するようにする。
【００６９】
コンテンツ提供装置１１からの情報を、随時、取得して、共通サーバ装置２の内蔵メモリ部に格納して、その内蔵メモリ部の記憶内容を最新にしておくことも考えられるが、コンテンツ提供装置１１が多数になり、提供情報が多量になると共通サーバ装置２のメモリ部を大規模にしなければならなくなるという問題がある。
【００７０】
これに対して、この実施の形態のように、会員端末１からの要求があったときに、その要求のあった情報のみをコンテンツ提供装置１１から共通サーバ装置２が取得して会員端末１に提供するようにすれば、共通サーバ装置２のメモリ部の規模は大規模にならない。また、コンテンツ提供装置１１が備える情報が常時更新されていれば、共通サーバ装置２は、単に、コンテンツ提供装置１１から情報を取得するだけで、常に最新の情報を会員端末１に提供することができる。
【００７１】
そして、この実施の形態では、共通サーバ装置２が、１〜複数個のコンテンツ提供装置１１に接続されていて、これらのコンテンツ提供装置１１からの情報を集中的に集めて、会員端末１に提供する構成であるので、会員端末１では、それぞれのコンテンツ提供装置１１に対して契約したりする必要はなく、また、複数個のコンテンツ提供装置１１からの情報の形式などに関係なく、共通サーバ装置２から必要な情報を受け取ることができる。
【００７２】
なお、固有の提供情報を有する提供会社によるコンテンツの共通サーバ装置２への提供方法としては、上述のように専用線やネットワークを通じて接続して共通サーバ装置２に提供するのではなく、コンテンツ提供会社がＣＤ−ＲＯＭなどの記録媒体を共通サーバ装置２に提供して、共通サーバ装置２の記憶部に記憶させておくようにする態様もある。
【００７３】
この実施の形態においては、前述にもしたように、会員端末番号などからなる会員ＩＤやパスワードなどの識別情報（会員識別情報）、および、各端末毎の特定の専用基幹ネットワークを通じた共通サーバ装置２のアドレス情報などの接続情報が、予め会員端末１の不揮発性メモリに登録されて配布される。そして、共通サーバ装置２、ＩＳＰサーバ装置７Ｉにおいて、これらの情報が管理される。
【００７４】
したがって、会員端末１を購入することが、共通サーバ装置２との契約関係の発生となり、会員端末１の購入者は、購入した会員端末１の不揮発性メモリに予め記憶されている会員識別情報、接続情報を用いて自動的に、共通サーバ装置２にアクセスし、当該会員端末１を介して、共通サーバ装置２が提供可能なすべてのサービスの提供を受けることができるようにされている。
【００７５】
この実施の形態においては、会員端末１は、携帯性に優れ、何時、どこからでも、共通サーバ装置２にアクセスするだけで、種々の情報提供サービスの提供を受けることができる。
【００７６】
また、会員端末１は、この実施の形態では、そのファクシミリ通信や電子メール通信の機能およびその関連機能などを、共通サーバ装置２と協働することにより、実現する。すなわち、会員端末１は、これら通信のための大容量のメモリを有しない。その代わりに、共通サーバ装置２が、各会員端末１の受信データ用のメモリあるいはメモリエリアを備える。また、会員端末１は、必要最小限の処理のためのアプリケーション（マイクロコンピュータのソフトウエア）、例えば表示アプリケーションのためのアプリケーションを除き、種々の機能を実現するためのアプリケーションを、共通サーバ装置２に委ねるようにしている。すなわち、会員端末１において、使用者が、目的とする機能を得るための要求に相当する、例えばキー操作を行うと、その要求が共通サーバ装置２に送られ、共通サーバ装置２で当該機能のアプリケーションが実行される。そして、そのアプリケーションでの処理結果が、会員端末１に送られてくる。
【００７７】
以上が、この発明の実施の形態の構成の概要であるが、より具体的な構成について以下に説明する。
【００７８】
図２は、上述した図１の通信ネットワークシステムの概念構成を、より具体化したものである。この場合、会員端末１は、ＰＨＳ電話端末と、データ通信機能を備えるＰＤＡ（パーソナル・デジタル・アシスタンツ）との複合機の構成を有し、ＰＨＳ電話機能のほかに、後述するように、ファクシミリ通信機能、電子メール通信機能を備えると共に、共通サーバ装置２からの情報提供サービスを受ける機能を備えている。
【００７９】
無線基地局６が接続される携帯無線通信端末用のネットワーク３は、この例では、ＰＨＳ／ＩＳＤＮ網３ｎである。したがって、会員端末１は、無線基地局６−ＰＨＳ／ＩＳＤＮ網３ｎ−無線基地局６を通じて、他の会員端末１または会員以外のＰＨＳ端末と電話通信ができると共に、無線基地局６−ＰＨＳ／ＩＳＤＮ網３ｎを通じて一般加入電話端末と電話通信ができる。
【００８０】
専用基幹ネットワーク５は、この例では、ＩＳＰ（インターネット・サービス・プロバイダー）が管理するネットワークとされる。すなわち、５Ｎは、そのＩＳＰバックボーン、つまり、ＬＡＮなどのネットワークであり、このＩＳＰバックボーン５ＮとＰＨＳ／ＩＳＤＮ網３ｎとは、ＰＨＳ用の３２ｋビット／秒の伝送速度の業界標準方式であるＰＩＡＦＳ（ＰＨＳ  Ｉｎｔｅｒｎｅｔ  Ａｃｃｅｓｓ  Ｆｏｒｕｍ  Ｓｔａｎｄａｒｄ）用のアクセスポイント４Ｐを通じて接続されている。
【００８１】
また、５ＮはこのＩＳＰ用のルータであり、これを介して、ＩＳＰバックボーン５Ｎと、ネットワーク管理サーバ装置７に対応するＩＳＰサーバ装置７Ｉと、共通サーバ装置２とが接続される。
【００８２】
ＩＳＰサーバ装置７Ｉは、共通サーバ装置２側の委託により、前述したように、会員端末１からのアクセスがあったときに、その認証をとる。すなわち、ＩＳＰサーバ装置７Ｉには、このＩＳＰサーバ装置７Ｉを経由して共通サーバ装置２にアクセスする会員端末１の会員識別情報、例えば会員番号などの会員ＩＤやパスワードなどが共通サーバ装置２からの委託により予め登録されており、ＩＳＰサーバ装置７Ｉは、当該ＩＳＰバックボーン５Ｎに接続された端末に対するアクセスがあったときに、そのアクセスをしてきた端末が、当該ＩＳＰバックボーン５Ｎを通じて共通サーバ装置２に接続すべき会員端末１であるか否かの認証を行い、会員端末１であれば、そのアクセスをルータ５Ｒを通じて共通サーバ装置２に着信させる。
【００８３】
そして、ＩＳＰサーバ装置７Ｉは、当該会員端末１のアクセスの履歴（ログ）を共通サーバ装置２に送る。共通サーバ装置２は、１〜複数のＩＳＰサーバ装置７Ｉからの複数個の会員端末のそれぞれのアクセスの履歴の情報を受け取って、それぞれの会員端末への課金などを総合的に管理する。
【００８４】
コンテンツ提供装置１１は、この例では、インターネット８を通じて共通サーバ装置２に接続され、共通サーバ装置２が必要なときに、このコンテンツ提供装置１１から提供すべき情報をインターネット８を通じて取得して、会員端末１に提供するようにする。なお、前述もしたように、コンテンツ提供装置１１は、インターネット８を通じてではなく、専用線を通じて共通サーバ装置２と接続するようにすることもできる。また、ＩＳＰサーバ装置７Ｉもコンテンツ提供装置となることもできる。
【００８５】
［共通サーバ装置２の構成］
図３は、共通サーバ装置２の一実施の形態の構成を示すブロック図である。この図３に示すように、共通サーバ装置２は、マスターサーバ２１と、メールサーバ２２と、ファクシミリサーバ２３と、着信通知サーバ２４と、ＨＴＴＰ（Ｈｙｐｅｒ  Ｔｅｘｔ  Ｔｒａｎｓｆｅｒ  Ｐｒｏｔｏｃｏｌ）Ｄサーバ２５と、コンテンツサーバ２６と、コンテンツ用Ｐｒｏｘｙサーバ２７とが、ＬＡＮ（ローカルエリアネットワーク）により接続されて構成されている。また、このＬＡＮはインターネット８とも接続されている。
【００８６】
マスターサーバ２１は、会員データの管理、コンテンツオプション等の申し込み、解約処理やネットワーク全体の管理メンテナンスを行う。マスターサーバ２１は、前述した会員ＩＤやパスワードなどの会員識別情報を含む会員データ（ユーザ情報）などを記憶するメモリ２１Ｍを備える。また、この実施の形態において、マスターサーバのメモリ２１Ｍは、優先受信送信元情報記憶手段としての機能を有しており、会員端末１毎に優先受信送信元情報を記憶している。この優先受信送信元情報は、例えば、会員端末１からの要求に応じて、メモリ２１Ｍに登録するようにされる。
【００８７】
メールサーバ２２は、主としてメールサービスの管理・運用を行うものであり、ＰＯＰ（Ｐｏｓｔ  Ｏｆｆｉｃｅ  Ｐｒｏｔｏｃｏｌ）またはＩＭＡＰ（Ｉｎｔｅｒｎｅｔ  Ｍｅｓｓａｇｅ  Ａｃｃｅｓｓ  Ｐｒｏｔｏｃｏｌ）サーバ機能を実装しており、会員端末１とのインターフェース処理を行う。そして、メールサーバ２２は、会員端末用のメールボックスと呼ばれるメモリ２２Ｍを備える。メールボックス２２Ｍは、各会員端末１のそれぞれ毎に区分けされたメモリエリアを備え、各会員端末宛ての電子メールの受信データを、各会員端末毎に蓄える。
【００８８】
なお、この実施の形態では、後述するように、ある会員端末から他の会員端末宛てに送信された、イメージデータ（画像データ）を含まないテキストデータ形式のファクシミリデータも、このメールボックス２２Ｍの前記他の会員端末用のメモリエリアに、電子メールデータとして蓄えられる。
【００８９】
ファクシミリサーバ２３は、ファクシミリ通信機能のアプリケーションを実行する。会員端末１とのインターフェース用にメールサーバ機能を実装し、また、Ｇ３ファクシミリ用のＰＳＴＮ（公衆交換電話網）通信回線機能も実装し、ＩＳＤＮ網９に接続されている。また、ファクシミリデータとしての画像データを記憶するファクシミリボックス（以下ＦＡＸボックスという）と呼ばれるメモリ２３Ｍを備える。ＦＡＸボックス２３Ｍも、各会員端末毎に区分けされたメモリエリアを備え、各会員端末宛ての、イメージデータを含むファクシミリ受信データを各会員端末１毎に蓄える。
【００９０】
着信通知サーバ２４は、電子メールやファクシミリの着信が会員端末宛てにあった場合に、ＩＳＤＮ回線（ＩＳＤＮ網９）を通じて、その着信を各会員端末１に通知するためのものである。
【００９１】
着信通知サーバ２４は、メールサーバ２２やファクシミリサーバ２３からの、会員端末宛ての電子メール着信やファクシミリ着信の情報を取得し、これに基づき、その会員端末１についての電子メールやファクシミリのそれぞれについての着信キューを発生する。そして、受信情報に含まれる会員端末１の電話番号あるいはメールサーバから取得した会員端末１の電話番号を用いて、着信を通知すべき会員端末１を、ＩＳＤＮ公衆回線網９を通じて、この実施の形態では、擬似着呼サービスを用いて呼び出し、会員端末１の応答を確認して、着信通知の情報を会員端末１に送る。この場合に、この着信通知の情報としては、電子メールの着信か、ファクシミリの着信かを識別する情報を伴って送信する。
【００９２】
擬似着呼サービスは、携帯無線通信端末に対してベルを鳴動させずに、相手に着信させて相手との通信路を形成し、必要なデータの送信後、即座に回線を切断するもので、安価な料金でこのサービスを利用することができる。会員端末１が電波の届く範囲に存在していれば、共通サーバ装置２は、この擬似着呼による呼び出しにより着信通知を会員端末１に送ることができる。
【００９３】
ＨＴＴＰＤサーバ２５は、会員端末１とのインターフェースを制御する。会員端末１が、この共通サーバ装置２に接続されている場合のすべての処理は、このサーバ２５を経由して各機能サーバに接続される。
【００９４】
コンテンツサーバ２６は、共通サーバ装置２が提供するコンテンツ情報処理用のサーバである。このサーバ２６は、提供するコンテンツ情報用として、２つの情報格納用メモリ２６Ａ，２６Ｂを備える。その一つのメモリ２６Ａは、予めこのサーバ２６内に提供する情報を保持するためのものである。もう一つのメモリ２６Ｂは、この共通サーバ装置２内には、提供する情報を保持せず、利用時に、図２の実施の形態では、インターネット８経由でコンテンツ提供装置１１から取得したデータを一時的に格納するためのものである。
【００９５】
コンテンツ用Ｐｒｏｘｙサーバ２７は、コンテンツデータを、インターネット８を経由して、外部のコンテンツ提供装置１１から取得するために使用される。Ｐｒｏｘｙサーバ２７は、図示しないファイアウォールと共に機能させることによって、外部からの不正なアクセスを防御しながら、ファイアウォールの内側から自由に外部にアクセスできる環境を作っている。
【００９６】
［会員端末１について］
次に、会員端末１について説明する。図４は、会員端末１の外観の一例であり、また、図６は、この会員端末１の内部回路構成の一例である。前述もしたように、この例の会員端末１は、ＰＨＳ電話機能と、ファクシミリ通信および電子メール通信機能と、情報提供サービスを受けるデータ通信機能を備える複合端末の構成を有するものである。
【００９７】
この実施の形態の会員端末１は、図４（Ａ）および図４（Ｂ）に示すように、端末本体１００に対して開閉可能のカバーパネル１０１を備え、このカバーパネル１０１を閉じた図４（Ａ）の状態では、ＰＨＳ電話端末として動作する電話モードになり、カバーパネル１０１を開いた図４（Ｂ）の状態では、ファクシミリ通信機能と、電子メール通信機能と、情報提供サービス受信機能とを得ることができるデータ通信モードになる。このモード切り換えのために、図示しないが、カバーパネル１０１の開閉を検知するセンサが設けられている。
【００９８】
このセンサとしては、例えばカバーパネル１０１の内側に突起を設けると共に、これと対応する本体１００側の位置に押圧スイッチを設け、カバーパネル１０１の前記突起により、機械的に本体１００側の押圧スイッチを押圧する機械的なセンサを用いる。
【００９９】
また、カバーパネル１０１と本体１００との一方に、磁石を設け、他方に感磁性素子からなるスイッチを設ける構成のセンサスイッチを用いるようにしてもよい。
【０１００】
そして、会員端末１は、図４（Ｂ）に示すように、カバーパネル１０１を開けた状態のときに現れる本体１００側の面に、大型のメインＬＣＤ（液晶ディスプレイ）１０５Ｍを備え、このメインＬＣＤ１０５Ｍの表示面に、通信文、メニュー、受信ファクシミリリストや受信電子メールリストなどを表示することができる。
【０１０１】
カバーパネル１０１の表側には、図４（Ａ）に示すように、電話用（ダイヤル用）のテンキー１０２が設けられていると共に、小さいサイズのサブＬＣＤ１０５Ｓが設けられている。１０３は、ＰＨＳ用のアンテナである。
【０１０２】
そして、カバーパネル１０１を閉じた図４（Ａ）の状態では、例えば透明プラスチック板などからなるＬＣＤ窓１０４を通じてＬＣＤ１０５の表示面が臨めるようにされる。この場合、カバーパネル１０１を閉じた電話モードにおいて、待ち受け状態のときには、サブＬＣＤ１０５Ｓのみが表示状態となり、メインＬＣＤ１０５Ｍは消灯状態となっている。
【０１０３】
そして、電話モードにおいて、例えば発呼をするときには、メインＬＣＤ１０５Ｍが表示可能状態となる。しかし、この場合に、ＬＣＤ表示窓１０４から臨める部分だけに表示が行われるように、メインＬＣＤ１０５Ｍが表示制御されている。そして、ＬＣＤ表示窓１０４から臨める部分に、使用者により入力された電話番号などが表示されるようにされる。
【０１０４】
図５は、電話モードでカバーパネル１０１において使用者が観視する表示部の様子を示すもので、図５（Ａ）は待ち受け状態でのサブＬＣＤ１０５Ｓおよび表示窓１０４での表示状態の例を示し、また、図５（Ｂ）は発呼時のサブＬＣＤ１０５Ｓおよび表示窓１０４での表示状態の例を示すものである。
【０１０５】
この場合、この図５において、サブＬＣＤ１０５Ｓに表示される各マーク（文字を含む）１５１〜１５７は、それぞれ、それらマークが表示されることにより、次のような意味内容を示すものである。
【０１０６】
すなわち、マーク１５１は、会員端末１が電波が届く場所に在って、受けている電波の強さを示すものであり、電波の強さに応じて表示内容が変化する。例えば、アンテナマークの右のバーが強さによって変化する。マーク１５２は、会員端末１が公衆モードで使用されていることを示す。マーク１５３は、会員端末１が電波の届かない場所に在ることを示す。マーク１５４は、電池の残量を示すもので、残量に応じて表示態様が変わる。
【０１０７】
マーク１５５は、自己の端末宛てのファクシミリ着信があることを示すファクシミリ着信マークで、後述するように共通サーバ装置２からのファクシミリ着信通知を受けて表示される。また、マーク１５６は、自己の端末宛ての電子メールの着信があることを示す電子メール着信マークで、共通サーバ装置２からの電子メール着信通知を受けて表示される。マーク１５７は、端末１の電話着信の使用者への報知態様がベル鳴動ではなく、振動によるものとなっていることを示すものである。
【０１０８】
カバーパネル１０１を開くと、サブＬＣＤ１０５Ｓの表示は、使用者には見えなくなるので、会員端末１がデータ通信モードになると、サブＬＣＤ１０５Ｓは消灯状態になり、メインＬＣＤ１０５Ｍが表示可能状態になる。そして、それまでサブＬＣＤ１０５Ｓに表示されていた前記マーク１５１〜１５７は、メインＬＣＤ１０５Ｍの、サブＬＣＤ１０５Ｓに対応する表示エリアに表示されるように制御される。
【０１０９】
この実施の形態の会員端末１においては、メインＬＣＤ１０５Ｍの表面には透明のタッチパネル１０６が貼付されており、カバーパネル１０１の裏側に、図４（Ｂ）のように取り外し自在に取り付けられているペン１０７によるタッチ操作や、手書き文字入力を受け付ける機能を備えるようにしている。
【０１１０】
また、カバーパネル１０１の裏側には、メニューキーＫ１、オンライン接続キーＫ２、後述する優先一括キーＫ３、…などの複数個のキー釦１０８が、ダイレクトキーとして設けられている。さらに、メインＬＣＤ１０５Ｍの右横には、回動キーと押しボタンキーとの２つの機能を合わせ持つジョグダイヤルキー１０９が設けられる。このジョグダイヤルキー１０９を回動キーとして回動操作したときには、例えばメニューなどにおける項目選択動作が行え、また、押しボタンキーとして押下操作したときには、選択された項目の決定入力を意味するものとして扱われる。
【０１１１】
次に、図６の会員端末１の回路ブロックについて説明する。  
この例の会員端末１は、大きく分けて、通信機能部１１０と、制御部１２０とからなる。
【０１１２】
通信機能部１１０は、アンテナ１１１と、ＲＦ処理部１１２と、送受信データ処理部１１３と、マイクロホンアンプ１１４と、スピーカアンプ１１５と、マイクロホン１００ＭＣと、スピーカ１００ＳＰとからなる。
【０１１３】
制御部１２０は、マイクロコンピュータにより構成されており、ＣＰＵで構成されるシステムコントロール部１２１と、ＲＯＭ１２２と、ＤＲＡＭ１２３と、書き換え可能な不揮発性メモリとしてのフラッシュメモリ１２４とを備えている。
【０１１４】
システムコントロール部１２１には、カバーパネル１０１の開閉に応じてオン・オフする前述したようなセンサスイッチＳＷが接続されており、このセンサスイッチＳＷのオン・オフにより、カバーパネル１０１が開状態か、閉状態かをシステムコントロール部１２１は検知し、カバーパネル１０１が閉状態のときには、当該会員端末１をＰＨＳ電話用端末として制御する電話モードとする。また、カバーパネル１０１が開状態のときには、当該会員端末１を、ファクシミリ通信用、メール通信用、共通サーバ装置２から提供される情報の再生用などの端末として制御するデータ通信モードとする。
【０１１５】
システムコントロール部１２１には、また、テンキー１０２のキースイッチ群や、カバーパネル１０１の裏側に設けられたキー釦１０８のスイッチ群の状態を示す情報が入力されるようにされており、システムコントロール部１２１は、使用者によりキー操作がなされたとき、それがテンキー１０２やキー釦１０８のいずれかであるかを検知し、その検知したキーに応じた処理を実行するようにする。
【０１１６】
また、システムコントロール部１２１には、メインＬＣＤドライバ１２５およびサブＬＣＤドライバ１２８が接続され、後述するＲＯＭ１２２のプログラムおよび表示データを用いてメインＬＣＤ１０５ＭおよびサブＬＣＤ１０５Ｓに、前述したマーク表示や、その他の所定の表示画像を表示するようにする。
【０１１７】
また、システムコントロール部１２１には、使用者への、電話の着信通知のためのブザー１２７やＬＥＤ（発光ダイオード）１２６が接続されている。
【０１１８】
ＲＯＭ１２２には、共通サーバ装置２との接続のためのシーケンスを制御するプログラムや、共通サーバ装置２からの着信通知を受けた場合の制御プログラムや、ＰＨＳ電話通信のための制御プログラム、ファクシミリ送信のための制御プログラム、メール送信のための制御プログラム、ファクシミリデータやメールデータを受信するための制御プログラムなどの会員端末１での通信のために最低限必要な通信アプリケーションプログラムと、メインＬＣＤ１０５ＭやサブＬＣＤ１０５Ｓを表示制御するプログラムやメニュー表示などのための表示データ、その他が記憶されている。
【０１１９】
ＤＲＡＭ１２３は、後述するように、共通サーバ装置２から取得した受信データを一時的に蓄えたり、その他、ワークエリアとして使用するメモリを領域を備えるものである。
【０１２０】
フラッシュメモリ１２４には、前述したように、会員ＩＤとしての端末ＩＤやパスワードなどの会員識別情報、および、共通サーバ装置２に対してＩＳＰサーバ装置７Ｉを通じて会員端末１から自動接続するためのネットワーク上のアドレス情報などの接続情報が予め格納されている。
【０１２１】
会員識別情報は、当該会員端末１が共通サーバ装置２と契約関係のある端末であって、ファクシミリ通信サービス、電子メール通信サービス、情報提供サービスなどのデータ通信サービスを共通サーバ装置２から受けることができる端末であることを示すと共に、各会員端末の使用者を識別するための情報である。
【０１２２】
この会員識別情報などの会員に関する情報は、共通サーバ装置２のメインサーバ２１のメモリ２１Ｍにも記憶されて、共通サーバ装置２においても管理されている。また、会員識別情報は、ＩＳＰサーバ装置７Ｉにおいても管理され、ＩＳＰサーバ装置７Ｉは、この会員識別情報により、アクセスしてきたのが会員であるか否かの認証を行うものである。
【０１２３】
さらに、フラッシュメモリ１２４は、ＤＲＡＭ１２３に一時的に蓄えた受信データの内の特に保存しておきたいデータなどを格納する領域も備えている。また、フラッシュメモリ１２４は、共通サーバ装置２を通じて提供を受けたコンテンツ情報のうち、繰り返し提供を受ける可能性のあるコンテンツ情報のアドレス情報や当該コンテンツ情報の内容を示すタイトル情報などを格納する領域をも備えている。
【０１２４】
以上のような構成を備える会員端末１の動作を、関連する共通サーバ装置の動作も含めて、以下に説明する。
【０１２５】
まず、ＰＨＳ電話モードについて説明する。カバーパネル１０１を閉じた状態で、テンキー１０２を用いて、相手方の電話番号をダイヤル入力すると、発呼がなされる。また、カバーパネル１０１を閉じた状態で、ＰＨＳ電話端末としての当該会員端末１に電話の着信があると、それがブザー１２７により使用者に知らされ、使用者が応答すると、その電話着信を受けることができ、通話状態になる。
【０１２６】
なお、カバーパネル１０１を開いた状態で電話着信があったときには、本体１００側に設けられている図示しない通話キーを押すことにより、いつでも通話が可能である。ただし、通話は、カバーパネル１０１を閉じた状態で行うようにする。
【０１２７】
そして、会員端末１は、このＰＨＳ電話通話時には、システムコントロール部１２１からの制御を送受信データ処理部１１３が受けながら、送話信号を送信し、また、受話信号を受信する。
【０１２８】
すなわち、マイクロホン１００ＭＣからの音声信号がアンプ１１４を介して送受信データ処理部１１３に供給されて送信データに変換され、ＲＦ処理部１１２を通じ、アンテナ１１１を通じて無線基地局６に対して送信されると共に、無線基地局６よりの相手側からの通話音声のデータがアンテナ１１１で受信され、その受信データが送受信データ処理部１１３で処理されて、相手の通話音声信号が復元され、それがアンプ１１５を通じてスピーカ１００ＳＰに供給されて放音される。
【０１２９】
次に、データ通信モードについて説明する。このデータ通信モードにおいては、ファクシミリ機能、電子メール機能、ＷＷＷブラウザ機能、メモ機能などを会員端末１では、実現できるように構成されている。これらの機能の一覧メニューは、キー釦１０８の内のメニューキーを操作することにより、メインＬＣＤ１０５Ｍの画面上に表示される。そして、使用者が、このメインＬＣＤ１０５Ｍの画面に表示される機能一覧メニューから、ジョグダイヤルキー１０９の回動操作および押下操作により希望する機能を選択して、決定することにより、会員端末１は、その機能を実行するモードの状態になる。
【０１３０】
この実施の形態の会員端末１において、ファクシミリデータの送信および受信をする場合、また、電子メールの送信および受信をする場合は、すべて共通サーバ装置２を介して処理される。
【０１３１】
そして、会員端末１と共通サーバ装置２との間でのデータのやり取りにおいては、ファクシミリ通信方式としての既定の通信方式に関係なく、すべてネットワーク３およびネットワーク５に適合する通信方式によって行うようにする。すなわち、この実施の形態の場合には、ファクシミリデータと電子メールデータとは、インターネットで電子メールを転送するのに用いられる標準的な手順であるＳＭＴＰ（Ｓｉｍｐｌｅ  Ｍａｉｌ  Ｔｒａｎｓｆｅｒ  Ｐｒｏｔｏｃｏｌ）を用い、また、ＷＷＷブラウザ機能における共通サーバ装置２からの提供情報は、ＨＴＴＰ（Ｈｙｐｅｒ  Ｔｅｘｔ  Ｔｒａｎｓｆｅｒ  Ｐｒｏｔｏｃｏｌ）を用い、ＰＨＳ網を利用したＰＩＡＦＳ方式により、会員端末１と共通サーバ装置２との間で送信データおよび受信データをやり取りする。
【０１３２】
この場合、会員端末１においては、送信データは、前述にもしたように、ＤＲＡＭ１２３に一時格納され、送信実行によりシステムコントロール部１２１により読み出されて、前述の通信プロトコルおよびデータ形式で、送受信データ処理部１１３、ＲＦ処理部１１２、アンテナ１１１を順次介して無線送信される。
【０１３３】
また、共通サーバ装置２からの受信データは、アンテナ１１１で受信され、ＲＦ処理部１１２、送受信データ処理部１１３を通じて、システムコントロール部１２１によりＤＲＡＭ１２３に一時格納される。そして、システムコントロール部１２１の制御により、ＬＣＤドライバ１２５を通じてメインＬＣＤ１０５Ｍに表示データとして送られ、受信データによる表示内容が表示される。
【０１３４】
メモ機能には、ペン１０７とタッチパネル１０６とを用いて入力を行う「手書きメモ」と、メインＬＣＤ１０５Ｍの画面にキーボードを表示して、その表示キーボードを利用して文書を作成する「タイプメモ」とがある。そして、手書きメモとタイプメモのいずれの場合も、作成したイメージまたは文書をファクシミリデータとして送信できるように構成されている。
【０１３５】
すなわち、手書きメモまたはタイプメモのいずれのモードの場合においても、メインＬＣＤ１０５Ｍの画面上には、次の処理の内容を示すタグ（ボタンアイコンの構成とされている）「ＦＡＸ送信（ファクシミリ送信）」のタグを含むメニューバーが表示され、この「ＦＡＸ送信」のタグが例えばペンで選択されると、送信すべき相手方端末の電話番号や、ファクシミリタイトルなどの入力モード画面になる。そして、相手方端末の電話番号やタイトルの入力後、このモードのときに表示されている「送信」のタグを選択すると、手書きメモあるいはタイプメモで作成されたイメージまたは文書がファクシミリデータとして送信される。
【０１３６】
ただし、前述したように、この場合にファクシミリデータは電子メールデータとして共通サーバ装置２に送信されるので、イメージデータおよび文書データはファクシミリ通信のビットマップデータではなく、イメージデータは例えばＧＩＦ（Ｇｒａｆｉｃｓ  Ｉｎｔｅｒｃｈａｎｇｅ  Ｆｏｒｍａｔ）形式とされ、また、文書データは、テキストデータ形式とされる。
【０１３７】
そして、宛先が会員以外のときには、共通サーバ装置２が、受け取ったデータを、ビットマップデータに変換して、当該会員以外の端末にファクシミリ送信する処理を実行する。宛先が会員端末１であるときには、共通サーバ装置２は、受け取ったデータを、メールボックス２２ＭあるいはＦＡＸボックス２３Ｍに格納し、各会員端末１に対しては、着信通知サーバ２４を通じて当該会員端末１宛ての着信があったことを通知する。この着信通知は、ファクシミリデータ受信の場合だけでなく、電子メールのデータ受信のときにも行われる。
【０１３８】
この実施の形態において、会員端末１において実行されるファクシミリ機能は、共通サーバ装置２において受信されて蓄積されている会員端末宛てのファクシミリ受信データを取得してＤＲＡＭ１２３に記憶する機能や、ＤＲＡＭ１２３に記憶したファクシミリ受信データを利用することができるようにするファクシミリ受信ボックス機能、フラッシュメモリ１２４に記憶し、主電源をオフにした場合やバッテリが低下した場合にも保持しておくようにしたファクシミリ受信データを利用することができるようにするファクシミリ保存ボックス機能などからなっている。
【０１３９】
これらの各機能は、機能一覧メニューから選択して実行したり、各機能を実行している場合に会員端末１のメインＬＣＤ１０５Ｍに表示される予め決められたタグをペン１０７やジョグダイヤルキー１０９を用いて選択することにより実行する機能を変更することができるようにされている。
【０１４０】
そして、ファクシミリ機能が選択されたときに、キー釦１０８のうちのオンライン接続キーＫ２が押されると、その会員端末１は、共通サーバ装置２と接続するための処理を自動的に行う。すなわち、フラッシュメモリ１２４のアドレスデータ、会員識別情報により共通サーバ装置２と接続する要求を会員端末１は送出する。すると、ネットワーク管理サーバであるＩＳＰサーバ７Ｉが当該アクセスしてきた端末が会員端末であるかどうかの認証を行い、会員端末であれば、共通サーバ装置２に接続する処理を行う。
【０１４１】
共通サーバ装置２は、接続された会員端末を認識し、当該会員端末宛てに受信したファクシミリ受信データの一覧リストを作成し、当該会員端末１に送る。したがって、この例では、オンライン接続キーＫ２は、受信情報一覧リストの要求キーの役割も有する。
【０１４２】
会員端末１は、共通サーバ装置２からの、この一覧リストのデータを受信してＤＲＡＭ１２３に一時格納し、その一覧リストをメインＬＣＤ１０５Ｍの画面に表示する。使用者は、ジョグダイヤルキー１０９やペン１０７を用いて、この一覧リストから希望するファクシミリ受信データを選択することができる。希望するファクシミリ受信データの選択がなされ、「取り込み」のタグが選択されると、会員端末１は、当該受信データの取得の要求を、共通サーバ装置２に送信する。
【０１４３】
この要求を受けると、共通サーバ装置２は、要求されたファクシミリ受信データを抽出して、電子メールのＳＭＴＰにより会員端末１に送る。会員端末１は、受け取ったデータをＤＲＡＭ１２３に一時格納する。
【０１４４】
なお、ファクシミリ受信データの一覧リストにおいて、共通サーバ装置２に対して提供を希望するファクシミリ受信データを複数件選択することにより、一度に複数件のファクシミリ受信データの提供を要求して、選択した複数件のファクシミリ受信データの提供を受けるようにすることもできるようにされている。
【０１４５】
このようにして、共通サーバ装置２から自分宛てのファクシミリ受信データの提供を受けて、これをＤＲＡＭ１２３に取り込んだ後、前述したファクシミリ受信ボックス機能を実行することにより、会員端末１は、ＤＲＡＭ１２３に一時記憶したファクシミリ受信データの一覧リストである取り込み受信データ一覧リストをメインＬＣＤ１０５Ｍに表示し、この取り込み受信データ一覧リストを用いて、ＤＲＡＭ１２３に取り込んだファクシミリ受信データの中からメインＬＣＤ１０５Ｍに表示するファクシミリ受信データを指定したり、フラッシュメモリ１２４に保存するファクシミリ受信データを指定したり、あるいは、削除するファクシミリ受信データを指定することができるようにされている。
【０１４６】
この取り込み受信データ一覧リストを介して、表示するようにされたファクシミリ受信データは、前述にもしたように、システムコントロール部１２１によってＤＲＡＭ１２３から読み出され、表示データに変換されて、メインＬＣＤ１０５Ｍの画面に表示される。したがって、使用者は、自分が必要なファクシミリデータを選んで、メインＬＣＤ１０５Ｍの画面で見ることができる。
【０１４７】
また、この取り込み受信データ一覧リストを介して、フラッシュメモリ１２４に保存するようにされたファクシミリ受信データは、システムコントロール部１２１の制御により、ＤＲＡＭ１２３からフラッシュメモリ１２４に転送されて、フラッシュメモリ１２４に記憶される。したがって、使用者は、自分が必要なファクシミリ受信データを選んで、フラッシュメモリ１２４に記憶し、保存することができる。
【０１４８】
そして、前述したファクシミリ保存ボックス機能を実行させることにより、フラッシュメモリ１２４に保存したファクシミリ受信データをいつでも呼び出して見ることができるようにされる。また、使用者は、不要なファクシミリ受信データを選んで、フラッシュメモリ１２４から削除するなどの処理をも行うことができる。
【０１４９】
次に、電子メール機能について説明する。この実施の形態において、会員端末１において実行される電子メール機能は、前述のファクシミリ機能の場合と同様に、共通サーバ装置２において受信されて蓄積されている会員端末宛ての電子メールの受信データを取得してＤＲＡＭ１２３に記憶する機能や、電子メール受信ボックス機能、電子メール保存ボックス機能、電子メール送信ボックス機能などからなっている。
【０１５０】
電子メール受信ボックス機能は、ＤＲＡＭ１２３に記憶した電子メールの受信データを利用するためのものである。また、電子メール保存ボックス機能は、主電源をオフにした場合やバッテリが低下した場合にも消滅することがないように、フラッシュメモリ１２４に記憶した電子メールの受信データを利用することができるようにするものである。また、電子メール送信ボックス機能は、会員端末１において作成した電子メールを相手先を指定して送信するなどのことを行うためのものである。
【０１５１】
これらの各機能は、機能一覧メニューから選択して実行したり、各機能を実行している場合に会員端末１のメインＬＣＤ１０５Ｍに表示される予め決められたタグをペン１０７やジョグダイヤルキー１０９を用いて選択することにより実行する機能を変更することができるようにされている。
【０１５２】
また、前述したように、この実施の形態においては、会員端末１の使用者が優先的に受信を希望する電子メールの受信データの送信元についての情報である優先受信送信元情報が予めサーバ装置に各会員端末毎に登録されており、以下に説明するように、優先受信送信元からの電子メールの受信データは、優先的に会員端末１に提供するようにされている。
【０１５３】
なお、この実施の形態においては、優先受信送信元情報の共通サーバ装置２への登録や変更、削除は、会員端末１において実行される優先受信送信元登録機能により行うことができるようにされている。この優先受信送信元登録機能については、図９、図１０を用いて後述することとし、共通サーバ装置２に会員端末１の優先受信送信元情報が既に登録されているものとして、この実施の形態においての電子メール機能の実行時の処理について説明する。
【０１５４】
電子メール機能が選択されたときに、キー釦１０８のうちのオンライン接続キーＫ２が押されたときも、ファクシミリ機能が選択されていた場合と同様にして、その会員端末１は、共通サーバ装置２と接続するための処理を自動的に行う。すなわち、会員端末１は、フラッシュメモリ１２４のアドレスデータ、会員識別情報を用いて、共通サーバ装置２への接続を要求するための接続要求を送出する。
【０１５５】
そして、この実施の形態においては、前述したように、会員端末１の使用者が優先的に受信を希望する電子メールの受信データの送信元についての情報である優先受信送信元情報が予め共通サーバ装置２に登録されているので、共通サーバ装置２は、会員端末１からの接続要求に応じて、接続要求元の会員端末１宛ての電子メールの受信データの一覧リスト（以下、メールリストという）を作成するとともに、当該接続要求元の会員端末１の優先受信送信元情報に基づいて、優先受信送信元からの電子メールの受信データを抽出する。そして、作成したメールリストとともに、優先受信送信元からの電子メールの受信データを接続要求元の会員端末１に送信する。
【０１５６】
したがって、この場合、オンライン接続キーＫ２は、接続要求キー、メールリストの送信要求キー、さらに、優先受信送信元からの電子メールの受信データの送信要求キーとしての機能を合わせ持つものである。
【０１５７】
会員端末１は、このメールリストと優先受信送信元からの電子メールの受信データを受信してＤＲＡＭ１２３に一時記憶し、そのメールリストをメインＬＣＤ１０５Ｍの画面に表示する。このように、この実施の形態においては、会員端末１は、共通サーバ装置２に対して接続要求を送出することにより、共通サーバ装置２からメールリストと優先受信送信元からの電子メールの受信リストとの提供を受けることができるようにされている。
【０１５８】
図７は、会員端末１からの接続要求に応じて、共通サーバ装置２から接続要求元の会員端末１に送信されるメールリストの一例を示す図である。図７に示すように、メールリストの上側部分には、［メールリスト］という当該リストの名称からなるタグが表示されると共に、実行可能な処理機能の内容を示し選択可能とされたタグ（ボタンアイコン）が表示される。
【０１５９】
このメールリストの場合には、［表示］タグ２０１、［取り込み］タグ２０２、［指定項目削除］タグ２０３、［回線切断］タグ２０４が表示される。そして、使用者が、処理機能を選択して、例えば、ペン１０７やジョグダイヤルキー１０９により、タグ２０１〜２０４のいずれかの位置を指示することにより、タグ２０１〜２０４に表示されている内容の処理機能が実行される。
【０１６０】
また、図７に示すように、この実施の形態において、メールリストは、未受欄３０１、優先欄３０２、電子メールアドレス欄３０３、受信日付欄３０４、タイトル欄３０５、チェック欄３０６を有すると共に、選択行を指示する矢印カーソル（以下単にカーソルという）３０７が表示される。
【０１６１】
未受欄３０１に表示された星印（★）は、その受信データが、まだ一度も会員端末１に取り込まれたことのない受信データであることを示している。また、優先欄３０２に表示された＊は、その受信データが、優先受信送信元からの受信データであり、既に会員端末１に取り込まれていることを示している。
【０１６２】
また、電子メールアドレス欄３０３には、送信元の電子メールアドレスが表示され、受信日付欄３０４には、受信データの受信日付および受信時刻が表示される。タイトル欄３０５には、受信データの内容を示すタイトル情報が表示される。また、チェック欄３０６は、例えば、共通サーバ装置２に対し、送信を要求する受信データや、削除を要求する受信データの選択などのために用いられる。このチェック欄３０６を用いることにより、一度に複数の受信データの送信を要求したり、あるいは、削除を要求するなどのことができるようにされる。
【０１６３】
そして、この実施の形態においては、前述したように、図７に示したメールリストが会員端末１に提供されて、メインＬＣＤ１０５Ｍに表示されたときには、メールリストの優先欄３０２に＊が表示されている受信データについては、既に会員端末１に取り込まれている。つまり、会員端末１の使用者は、電子メール機能を選択し、オンライン接続キーＫ２を押下するだけで、優先受信送信元からの電子メールの受信データを取得することができるようにされている。
【０１６４】
さらに、以下のように会員端末を操作することにより、優先受信送信元以外からの電子メールの受信データをメールリストを通じて取得することができるようにされている。つまり、会員端末１の使用者は、ジョグダイヤルキー１０９を用いてカーソル３０７を移動させることにより、あるいは、ペン１０７を用いて、表示されたメールリストから提供を希望する電子メールの受信データを選択することができる。
【０１６５】
そして、提供を希望する電子メールの受信データの選択がなされ、「取り込み」タグ２０２が選択されると、会員端末１は、選択された電子メールの受信データの取得の要求を、共通サーバ装置２に送信する。
【０１６６】
これを受けて、共通サーバ装置２は、要求された電子メールの受信データを抽出して、ＳＭＴＰにより会員端末１に送る。会員端末１は、受け取ったデータをＤＲＡＭ１２３に一時記憶する。この場合、先に取り込まれている優先受信送信元からの電子メールの受信データに追加するように、メールリスト上において選択されて取得要求された電子メールの受信データがＤＲＡＭ１２３に記憶される。
【０１６７】
また、会員端末１の使用者は、ジョグダイヤルキー１０９やペン１０７を用いて、このメールリストから共通サーバ装置２に記憶されている自分宛ての電子メールの受信データのうち、削除する受信データを選択し、［指定項目削除］タグ２０３を選択すると、会員端末１は、選択された電子メールの受信データの削除の要求を、共通サーバ装置２に送信する。
【０１６８】
これを受けて、共通サーバ装置２は、削除が要求された電子メールの受信データを電子メールの受信データが蓄積されているメールボックス２２Ｍから削除する。
【０１６９】
また、会員端末１の使用者は、ジョグダイヤルキー１０９やペン１０７を用いて、このメールリストから電子メールの受信データを選択し、［表示］タグ２０１を選択すると、選択した電子メールの受信データがＤＲＡＭ１２３に既に取り込まれている場合には、その電子メールに関する詳細情報やその電子メールの受信データの内容をメインＬＣＤ１０５Ｍに表示して見ることができるようにされる。
【０１７０】
このように、会員端末１は、接続要求を共通サーバ装置２に送信することにより、メールリストと優先受信送信元からの電子メールの受信データを取得することができるとともに、メインＬＣＤ１０５Ｍに表示されたメールリストを通じて、提供を受けようとする電子メールの受信データの選択することにより、優先受信送信元以外からの電子メールの受信データも取得することができるようにされている。この場合、接続した通信回線を切断することなく、優先受信送信元以外からの電子メールの受信データを取得することができる。
【０１７１】
そして、この実施の形態においては、メールリストにおいて、［回線切断］タグ２０４を選択すると、当該会員端末１と共通サーバ装置２との間に接続された通信回線が切断され、会員端末１に取り込んだ電子メールの受信データをメインＬＣＤ１０５Ｍに表示するなどして利用することができるようにされる。
【０１７２】
この実施の形態においては、通信回線が切断された後、［メールリスト］タグの表示位置上のタッチパネル１０６にペン１０７を接触させると、会員端末１はこれを検知して、前述した電子メール受信ボックス機能を実行し、会員端末１のＤＲＡＭ１２３に一時記憶した電子メールの受信データの取り込み一覧リストを表示する。
【０１７３】
図８は、電子メール受信ボックス機能により、会員端末１のメインＬＣＤ１０５Ｍに表示される電子メールの受信データの取り込み一覧リストの一例を示す図である。図８に示すように、この取り込み一覧リストの上側部分には、［受信ＢＯＸ］という当該機能の名称からなるタグが表示されると共に、実行可能な処理の内容を示し選択可能なタグが表示される。
【０１７４】
この取り込み一覧リストの場合には、［保存］タグ４０１、［表示］タグ４０２、［新規］タグ４０３、［返信］タグ４０４、［指定項目削除］タグ４０５が表示される。そして、前述したメールリストの場合と同様に、使用者が、処理機能を選択して、例えば、ペン１０７やジョグダイヤルキー１０９により、タグ４０１〜４０５のいずれかの位置を指示することにより、タグ４０１〜４０５に表示されている内容の処理機能が実行される。
【０１７５】
また、図８に示すように、この実施の形態において、この取り込み一覧リストは、未読欄５０１を有するとともに、図７を用いて前述したメールリストの場合と同様に、優先欄５０２、電子メールアドレス欄５０３、受信日付欄５０４、タイトル欄５０５、チェック欄５０６を有している。また、選択行を指示する矢印カーソル（以下単位カーソルという）５０７が表示される。
【０１７６】
この取り込み一覧リストの未読欄５０１に表示された星印（★）は、その受信データが、会員端末１に取り込まれてから、まだ一度も表示されていない受信データであることを示している。また、優先欄５０２に表示された＊は、その受信データが、優先受信送信元からの受信データであることを示している。
【０１７７】
また、電子メールアドレス欄５０３、受信日付欄５０４、タイトル欄５０５には、図７に示した前述のメールリストの場合と同様に、送信元の電子メールアドレス、その受信データの受信日付および受信時刻、受信データの内容を示すタイトル情報が対応する表示欄に表示される。また、チェック欄５０６は、例えば、削除を要求する受信データの選択などのために用いられる。このチェック欄を用いることにより、一度に複数の受信データの削除を要求するなどのことができるようにされる。
【０１７８】
この図８に示した取り込み一覧リストにおいては、取り込み一覧リストの左端に表示されている行番号１〜６に対応する電子メールの受信データのうち、行番号１〜３に対応する電子メールの受信データの優先欄５０２には、＊が表示されている。これは、行番号１〜３に対応する電子メールの受信データは、優先受信送信元からの電子メールの受信データであり、共通サーバ装置２からメールリストとともに自動的提供されたものであることを示している。
【０１７９】
また、行番号４〜６に対応する電子メールの受信データの優先欄５０２には、何も表示されていない。つまり、行番号４〜６に対応する電子メールの受信データは、前述したメールリストにおいて選択し、［取り込み］タグ２０２を操作することにより取り込んだものである。つまり、行番号４〜６に対応する電子メールの受信データは、いわば手動で取り込まれた、優先受信送信元以外の送信元から送信されてきたものである。
【０１８０】
そして、これら行番号１〜６に対応する各電子メールの受信データの未読欄５０１には、星印（★）が表示されており、いずれもまだ表示されていないことを示している。
【０１８１】
この取り込み一覧リストが表示された後、会員端末１の使用者が、ジョグダイヤルキー１０９を用いてカーソル５０７を移動させることにより、あるいは、ペン１０７を用いて、この取り込み一覧リストから電子メールの受信データを選択し、［保存］タグ４０１を選択すると、その受信データはＤＲＡＭ１２３からフラッシュメモリ１２４に転送されて記憶される。フラッシュメモリ１２４は、不揮発性メモリであるため、これに記憶された受信データは、会員端末１の主電源が落とされた場合や会員端末１がバッテリ切れとなった場合においても消滅することなく、何時でも読み出して見ることができるようにされる。
【０１８２】
同様にして、この取り込み一覧リストから電子メールの受信データを選択し、［表示］タグ４０２を選択すると、その受信データはＤＲＡＭ１２３から読み出され、メインＬＣＤ１０５Ｍに表示される。これにより、会員端末１の使用者は、その電子メールの受信データの内容を確認することができる。
【０１８３】
また、この取り込み一覧リストから電子メールの受信データを選択し、［指定項目削除］タグ４０５を選択すると、選択された受信データがＤＲＡＭ１２３から削除される。これにより、不要な電子メールの受信データをＤＲＡＭ１２３から削除して、限られた記憶容量のＤＲＡＭ１２３を効率よく活用することができる。
【０１８４】
また、この取り込み一覧リストにおいて、［新規］タグ４０３を選択した場合には、この会員端末１から相手先を指定して送信する電子メールの送信データを新たに作成することができる。また、［返信］タグ４０４を選択すると、受信した電子メールの受信データに対する電子メールの返信データを作成することができる。これら電子メールの送信データ、返信データは、ＤＲＡＭ１２３の送信する情報の記憶領域に一時記憶される。
【０１８５】
そして、この実施の形態においては、図８に示した取り込み一覧リストにおいて、左上端部に表示された［受信ＢＯＸ］タグを選択すると、送信ボックス機能が実行され、この会員端末１において作成され、ＤＲＡＭ１２３に記憶された送信データや返信データの一覧表（送信データ一覧リスト）が表示され、送信するデータの選択を行って、通信回線を接続し、指定した相手先に送信することができるようにされている。
【０１８６】
また、送信データ一覧リストにも左上端部に［送信ＢＯＸ］というタグが表示されるので、このタグを選択することにより、電子メール保存ボックスが実行され、フラッシュメモリ１２４に記憶した電子メールの受信データの一覧リスト（保存一覧リスト）が表示され、フラッシュメモリ１２４に記憶されている電子メールの受信データを利用することができる。そして、この一覧表においても、左上端部に［保存ＢＯＸ］というタグが表示されるので、この［保存ＢＯＸ］タグを選択すると、受信ボックス機能に切り換えられる。
【０１８７】
このように、この実施の形態においては、各機能において表示される取り込み一覧リスト、送信データ一覧リスト、保存一覧リストにおいて、左上端部のタグを選択することにより、受信ボックス→送信ボックス→保存ボックス→受信ボックスのように、順に機能を切り換えることができるようにされている。
【０１８８】
次に、電子メール機能を用いて自分宛ての電子メールの受信データの取得に先だって行う優先受信送信元情報の共通サーバ装置２への登録処理について説明する。前述したように、この実施の形態において、共通サーバ装置２への優先受信送信元情報の登録などの処理は、メインＬＣＤ１０５Ｍの表示画面に表示された機能一覧メニューから優先受信送信元情報登録機能を選択することにより実行される。
【０１８９】
優先受信送信元情報登録機能が選択されているときに、オンライン接続キーＫ２が押下されると、会員端末１は、前述したファクシミリ機能、電子メール機能の場合と同様に、接続要求を生成して送出する。そして、ネットワーク管理サーバ７Ｉの認証を経て、接続要求元の会員端末１と共通サーバ装置２との間に通信回線が接続される。
【０１９０】
そして、共通サーバ装置２は、接続された会員端末を認識し、当該会員端末１用に既に記憶されている優先受信送信元情報の一覧リストである優先受信送信元リストを作成して、接続要求元の会員端末１に送信する。
【０１９１】
会員端末１は、この優先受信送信元リストを受信し、メインＬＣＤ１０５Ｍに表示する。図９は、メインＬＣＤ１０５Ｍに表示される優先受信送信元リストの一例を示すものである。図９に示すように、優先受信送信元リストの上側部分には、［優先受信送信元リスト］というリストの名称からなるタグが表示されるとともに、実行可能な処理の内容を示し選択可能なタグとして、［表示］タグ６０１、［新規入力］タグ６０２、［指定項目削除］タグ６０３、［登録］タグ６０４、［切断］タグ６０５が表示される。そして、前述したメールリストや取り込み一覧リストの場合と同様に、ペン１０７やジョグダイヤルキー１０９により、これらのタグのいずれかの位置を指示することにより、指示されたタグに表示されている内容の機能が実行される。
【０１９２】
また、図９に示すように、この優先受信送信元リストは、優先受信送信元の名前を表示するための名前欄７０１、優先受信送信元の電子メールアドレスを表示するための電子メールアドレス欄７０２、チェック欄７０３を有している。チェック欄７０３は、複数の優先受信送信元情報を選択し、選択した複数の優先受信送信元情報の削除を共通サーバ装置２に対して要求する場合などに用いられる。
【０１９３】
この優先受信送信元リストを通じて、会員端末１の使用者は、共通サーバ装置２に既に登録されている自己の優先受信送信元を確認することができるとともに、新たな優先受信送信元情報の登録や、既に登録されている優先受信送信元情報の修正、削除を行うことができるようにされる。
【０１９４】
なお、この実施の形態においては、優先受信送信元情報の登録、修正、削除は、まず、会員端末１において、優先受信送信元リストを表示するために共通サーバ装置２から提供された１〜複数の優先受信送信元情報に対して、登録、修正、削除の処理を行って、ＤＲＡＭ１２３に一時記憶された優先受信送信元情報を整える。そして、会員端末１において、ＤＲＡＭ１２３に記憶されている１〜複数の整えられた優先受信送信元情報を共通サーバ装置２に送信して、これを共通サーバ装置２に保存するようにされている。
【０１９５】
そして、新たな優先受信送信元情報を登録しようとする場合には、会員端末１の使用者は、図９に示した優先受信送信元リストにおいて、［新規入力］タグ６０２を選択し、メインＬＣＤ１０５Ｍに優先受信送信元情報の新規入力画面を表示するようにする。
【０１９６】
図１０は、優先受信送信元情報の新規入力画面の一例を示す図である。図１０に示すように、この新規入力画面は、優先受信送信元の名前のよみがなの入力欄８０１と、優先受信送信元の名前の入力欄８０２と、優先受信送信元の電子メールアドレスの入力欄８０３とを有するとともに、これらの各入力欄に優先受信送信元の情報を入力するために用いるいわゆるソフトウエアキーボード（表示キーボード）８０４とを有するものである。また、この新規入力画面には、［確認］タグ９０１と、［戻る］タグ９０２が設けられている。
【０１９７】
そして、ペン１０７を用いてソフトウエアキーボード８０４を操作して、前述の各入力欄８０１〜８０３に情報を入力し終えた後に、［確認］タグ９０１を選択すると、新規に入力した優先受信送信元情報が、先に共通サーバ装置２から提供され、ＤＲＡＭ１２３に一時記憶されている優先受信送信元情報に追加して記録される。
【０１９８】
このように、優先受信送信元情報の新規入力と［確認］タグ９０１の選択とを繰り返し行うことにより、複数の新規の優先受信送信元情報を会員端末１のＤＲＡＭ１２３に記憶させることができる。そして、優先受信送信元情報の新規入力が終了した場合には、［戻り］タグ９０２を選択することにより、図９に示した優先受信送信元リストに戻ることができるようにされている。そして、優先受信送信元リストの戻った場合には、新規入力により追加された優先受信送信元情報を含む優先受信送信元リストが表示される。
【０１９９】
また、優先受信送信元情報の修正、あるいは、削除を行う場合には、図９に示した優先受信送信元リストにおいて、ジョグダイヤルキー１０９やペン１０７を用いて、修正する、あるいは、削除する優先受信送信元情報を選択し、［表示］タグ６０１を選択する。
【０２００】
これにより、会員端末１のメインＬＣＤ１０５Ｍには、優先受信送信元情報の修正、削除画面が表示される。この修正、削除画面は、図１０に示した優先受信送信元情報の新規入力画面とほぼ同様の画面であるため、図１０を用いて、優先受信送信元情報の修正、削除について説明する。
【０２０１】
この修正、削除画面には、優先受信送信元リストにおいて選択された優先受信送信元の名前のよみがなの表示欄８０１、当該優先受信送信元の名前の表示欄８０２、当該優先受信送信元の電子メールアドレスの表示欄８０３が設けられており、これらの各表示欄８０１〜８０３には、図９に示した優先受信送信元リストにおいて選択された優先受信送信元情報の対応する情報が表示される。
【０２０２】
また、これらの各表示欄８０１〜８０３に表示された情報を修正する場合に用いられるソフトウエアキーボード８０４が表示されるとともに、図示しないが、［確認］タグ９０１に代えて、［修正］タグ９０３、［削除］タグ９０４が表示される。この場合にも［戻り］タグ９０２が表示され、優先受信送信元リストに戻ることができるようにされる。
【０２０３】
そして、図１０に示したような修正、削除画面において、表示された情報をソフトウエアキーボード８０４を用いて修正した後、［修正］タグ９０３を選択すると、修正前の優先受信送信元情報がＤＲＡＭ１２３から削除され、修正後の当該優先受信送信元情報がＤＲＡＭ１２３に優先受信送信元情報として書き込まれる。
【０２０４】
また、図１０に示したような修正、削除画面において、表示された情報を確認した後、［削除］タグ９０４を選択すると、当該優先受信送信元情報がＤＲＡＭ１２３から削除される。
【０２０５】
このように、共通サーバ装置２から提供され会員端末１のＤＲＡＭ１２３に記憶されている優先受信送信元情報の修正や削除を行うことができる。そして、［戻り］タグ９０２が選択されて、優先受信送信元リストに戻ると、修正後、あるいは、削除後の優先受信送信元リストが表示される。
【０２０６】
そして、上述のように、ＤＲＡＭ１２３に記憶されている優先受信送信元情報に対する追加、修正、削除などの処理を行って、ＤＲＡＭ１２３の優先受信送信元情報を整えた後に、図９に示した優先受信送信元リストにおいて、［登録］タグ６０４を選択すると、ＤＲＡＭ１２３に記憶されている優先受信送信元情報が、共通サーバ装置２に送信され、共通サーバ装置２の当該会員端末１用の優先受信送信元情報がすべて書き換えられ、会員端末１において追加、修正、削除が行われて整えられた優先受信送信元情報を共通サーバ装置２に記憶させることができる。
【０２０７】
なお、会員端末１のＤＲＡＭ１２３に記憶されている優先受信送信元情報に対して、優先受信送信元情報の追加、修正、削除を行ったものの、共通サーバ装置２に記憶されている優先受信送信元情報を書き換える必要がなくなった場合には、［切断］タグ６０５を選択することにより、共通サーバ装置２に対して、会員端末１のＤＲＡＭ１２３に記憶されている優先受信送信元情報を送信することなく、接続された通信回線を切断することができる。
【０２０８】
また、この実施の形態において、メインＬＣＤ１０５Ｍの表示画面に表示された機能一覧メニューから、ＷＷＷブラウザ機能が選択されているときは、会員端末１は共通サーバ装置２からの提供情報を取得して再生することができる情報再生端末として動作することができるようにされる。このとき、共通サーバ装置２と会員端末１との間のデータのやり取りは、ＨＴＴＰ（Ｈｙｐｅｒ  Ｔｅｘｔ  Ｔｒａｎｓｆｅｒ  Ｐｒｏｔｏｃｏｌ）が用いられ、ＰＨＳ網を利用したＰＩＡＦＳ方式により行われる。共通サーバ装置２から提供される情報のデータ形式は、ＨＴＭＬ（Ｈｙｐｅｒ  Ｔｅｘｔ  Ｍａｒｋｕｐ  Ｌａｎｇｕａｇｅ）である。
【０２０９】
そして、ＷＷＷブラウザ機能が選択されたときに、キー釦１０８のうちのオンライン接続キーＫ２が押されたときは、前述したファクシミリ機能、あるいは、電子メール機能が選択されていた場合と同様にして、その会員端末１は、共通サーバ装置２と接続するための処理を自動的に行う。
【０２１０】
そして、共通サーバ装置２では、共通サーバ装置２が提供可能な情報提供サービスの一覧リストを接続を要求してきた会員端末１に提供する。
【０２１１】
会員端末１は、共通サーバ装置からの情報提供サービスの一覧リストを受信し、これをメインＬＣＤ１０５Ｍの表示画面に表示する。会員端末１の使用者は、ジョグダイヤルキー１０９やペン１０７を用いて、メインＬＣＤ１０５Ｍの表示画面に表示された情報提供サービスの一覧リストから会員端末１の使用者が提供を希望する共通サーバ装置２が提供可能な情報提供サービスを選択することができるようにされる。
【０２１２】
ここで、メインＬＣＤ１０５Ｍの表示画面に表示された情報提供サービスの一覧リストから希望する情報提供サービスの選択がなされた場合には、会員端末１は、選択された情報提供サービスの提供の要求を、共通サーバ装置２に送信する。
【０２１３】
これを受けて、共通サーバ装置２は、要求された情報提供サービスに応じてコンテンツ情報を取得して要求元の会員端末１に送る。会員端末１は、共通サーバ装置２からのコンテンツ情報を受信し、受信したコンテンツ情報をＤＲＡＭ１２３に一時格納する。
【０２１４】
会員端末１は、要求したコンテンツ情報が、例えば、地図情報やニュースなどの表示情報である場合には、これを表示データに変換して、メインＬＣＤ１０５Ｍに表示し、会員端末１の使用者に提供する。
【０２１５】
また、共通サーバ装置２から提供を受けたコンテンツ情報が、例えばゲームなどのアプリケーションである場合には、ＤＲＡＭ１２３に一時記憶されたアプリケーションがシステムコントロール部１２１により実行され、この会員端末１においてゲームなどを楽しむことができるようにされる。
【０２１６】
このように、この実施の形態においては、会員端末１と共通サーバ装置２とが協働することにより、電子メール通信、ファクシミリ通信、情報提供サービスなどの情報通信サービスを利用することができるようにされている。
【０２１７】
そして、電子メール機能を用いて、自分宛ての電子メールの受信データを会員端末１を通じて取得する場合、必ず取得する、あるいは、取得しなければならない電子メールの受信データの送信元を、優先受信送信元として、共通サーバ装置２に登録しておくことにより、会員端末１は、接続要求を共通サーバ装置２に送信するだけで、優先受信送信元からの電子メールの受信データの提供を受けることができる。
【０２１８】
これにより、必ず取得する、あるいは、取得しなければならない電子メールの受信データをメールリストを通じて一々選択して提供要求をサーバ装置に対して送信しなくても、確実に会員端末１に取り込んで見ることができる。
【０２１９】
［優先受信送信元からの電子メールの受信データを得るための処理について］  
次に、前述したように、優先受信送信元からの電子メールの受信データを優先的かつ確実に取得し、利用するための処理について、１、共通サーバ装置２への優先受信送信元情報の登録処理、２、優先受信送信元からの電子メールの受信データの取得処理、３、取得した優先受信送信元からの電子メールの受信データを利用する処理の順にフローチャートを参照しながら説明する。
【０２２０】
［１、共通サーバ装置２への優先受信送信元情報の登録処理］  
まず、共通サーバ装置２への優先受信送信元情報の登録、修正、削除などの処理について、図１１、図１２のフローチャートを参照しながら説明する。
【０２２１】
前述したように、会員端末１がデータ通信モードとされて、メインＬＣＤ１０５Ｍの表示画面に表示された機能一覧メニューから優先受信送信元情報登録機能が選択されているときに、キー釦１０８のうちのオンライン接続キーＫ２が押されると（手順Ｓ１）、その会員端末１は、共通サーバ装置２と接続するための処理を自動的に行う（手順Ｓ２）。すなわち、フラッシュメモリ１２４に記憶されている自己の会員識別情報と、ＩＳＰサーバ装置７Ｉを通じた共通サーバ装置２への接続のためのアドレスデータとを用いて、共通サーバ装置２と接続する要求を会員端末１は送出する。
【０２２２】
この接続要求に対して、ネットワーク管理サーバであるＩＳＰサーバ７Ｉが当該アクセスしてきた端末が会員端末であるかどうかの認証を、接続要求に含まれる会員端末であるか否かの会員識別情報を用いて行い（手順Ｓ３）、会員端末であれば、共通サーバ装置２に接続する処理を行う（手順Ｓ４）。
【０２２３】
すると、共通サーバ装置２は、会員端末１からの接続要求を受け取り、接続された会員端末がいずれの会員端末であるかを認識する（手順Ｓ５）。そして、共通サーバ装置２は、例えばマスターサーバ２１のメモリ２１Ｍに各会員端末１毎に既に記憶されている優先受信送信元情報に基づいて、接続要求を送信してきた会員端末１用の優先受信送信元リスト（登録済優先受信送信元リスト）を作成し（手順Ｓ６）、これを接続要求元の会員端末１に送信する（手順Ｓ７）。
【０２２４】
そして、図１２に示すように、接続要求元の会員端末１は、優先受信送信元リストを受信してＤＲＡＭ１２３に記憶し（手順Ｓ８）、この優先受信送信元リストを図９に示したようにメインＬＣＤ１０５Ｍに表示する（手順Ｓ９）。
【０２２５】
そして、会員端末１は、優先受信送信元情報の新規入力、優先受信送信元情報の修正、削除などの入力を受け付け、ＤＲＡＭ１２３に記憶した優先受信送信元リストに対して、新規優先受信送信元情報の追加や優先受信送信元リストを構成する登録済の優先受信送信元情報の修正、削除を行う（手順Ｓ１０）。
【０２２６】
次に、会員端末１は、優先受信送信元リストの［登録］タグ６０４を選択する登録操作がされたか否かを判断する（手順Ｓ１１）。手順Ｓ１１の判断処理において、登録操作がされたと判断したときには、会員端末１は、新規優先受信送信元情報の追加、修正、削除がされた優先受信送信元リストの各優先受信送信元情報を共通サーバ装置２に送信する（手順Ｓ１２）。
【０２２７】
共通サーバ装置は、手順Ｓ１２の処理により会員端末１から送信された優先受信送信元情報を受信して、これを会員端末１毎に記憶する。この場合、会員端末１からは、ＤＲＡＭ１２３の優先受信送信元リストを構成するすべての優先受信送信元情報が送信されてくるので、先に登録されている優先受信送信元情報に代えて、新たに受信した優先受信送信元情報を記憶する。これにより、共通サーバ装置２において各会員端末毎に記憶されている優先受信送信元情報が、会員端末１からの要求に応じて、最新の状態にされる。
【０２２８】
また、会員端末１で行われる手順Ｓ１１の判断処理において、登録操作が行われていないと判断したときには、［回線切断］タグ６０５を選択する切断操作がされたか否かを判断する（手順Ｓ１４）。
【０２２９】
手順Ｓ１４において、切断操作がされたと判断したときには、当該会員端末１と共通サーバ装置２との間で接続されている通信回線を切断し（手順Ｓ１５）、図１１、図１２に示した優先受信送信元情報の登録等の処理を終了する。手順１４の判断処理において、切断操作がされていないと判断したときには、手順Ｓ１０からの処理を繰り返し、優先受信送信元情報の新規入力、修正、削除を受け付ける。
【０２３０】
なお、共通サーバ装置２に接続要求元の会員端末１の優先受信送信元情報がまったく登録されていない場合、この実施の形態においては、共通サーバ装置２からは、優先受信送信元情報のない優先受信送信元リストが送信されてくるので、会員端末１の使用者は、前述したように、優先受信送信元情報の新規入力を行うことによって、共通サーバ装置２に対し優先受信送信元情報を登録することができる。
【０２３１】
このようにして、優先受信送信元情報登録機能を用いて、会員端末１から共通サーバ装置２に優先受信送信元情報を登録したり、共通サーバ装置２の既に登録されている優先受信送信元情報の修正、削除を行うことができる。
【０２３２】
［２、優先受信送信元からの電子メールの受信データの取得処理］  
次に、会員端末が、共通サーバ装置２に蓄積されている自己宛ての電子メールの受信データを取得する場合の処理について図１３、図１４のフローチャートを用いて説明する。
【０２３３】
前述した優先受信送信元情報登録機能の場合と同様に、会員端末１がデータ通信モードとされて、メインＬＣＤ１０５Ｍの表示画面に表示された機能一覧メニューから電子メール機能が選択されているときに、キー釦１０８のうちのオンライン接続キーＫ２が押されると（手順Ｓ２１）、その会員端末１は、フラッシュメモリ１２４に記憶されている自己の会員識別情報と、共通サーバ装置２への接続のためのアドレスデータとを用いて接続要求を生成して送出する（手順Ｓ２２）。
【０２３４】
この接続要求に対して、ネットワーク管理サーバであるＩＳＰサーバ７Ｉが当該アクセスしてきた端末が会員端末であるかどうかの認証を、接続要求に含まれる会員識別情報を用いて行い（手順Ｓ２３）、会員端末であれば、共通サーバ装置２に接続する処理を行う（手順Ｓ２４）。
【０２３５】
すると、共通サーバ装置２は、会員端末１からの接続要求を受け取り、接続された会員端末がいずれの会員端末であるかを認識する（手順Ｓ２５）。次に、共通サーバ装置２は、接続要求を送信してきた会員端末１の使用者である会員宛ての電子メールの受信データの一覧リストであるメールリストを作成するとともに、共通サーバ装置２に既に登録されている接続要求元の会員端末１の優先受信送信元情報に基づいて、優先受信送信元からの電子メールの受信データを抽出する（手順Ｓ２６）。そして、手順Ｓ２６において作成したメールリストと、抽出した優先受信送信元からの電子メールの受信データとを接続要求元の会員端末１に送信する（手順Ｓ２７）。
【０２３６】
会員端末１では、共通サーバ装置２から送信されてくるメールリストと優先受信送信元からの電子メールの受信データとを受信して（手順Ｓ２８）、これらをＤＲＡＭ１２３に記憶する（手順Ｓ２９）。そして、ＤＲＡＭ１２３に記憶したメールリストを図７に示したようにメインＬＣＤ１０５Ｍの表示画面に表示し（手順Ｓ３０）、送信を要求する電子メールの受信データや、表示や削除を要求する電子メールの受信データの選択入力などを受け付ける（手順Ｓ３１）。そして、会員端末１は、［取り込み］タグ２０２を選択する取り込み操作が行われたか否かを判断する（手順Ｓ３２）。
【０２３７】
手順Ｓ３２の判断処理において、取り込み操作がされたと判断したときには、会員端末１は、選択された電子メールの受信データの送信要求を生成して送信する（手順Ｓ３３）。
【０２３８】
共通サーバ装置２は、会員端末１からの送信要求を受信して（手順Ｓ３４）、要求された電子メールの受信データを抽出し（手順Ｓ３５）、これを要求元の会員端末１に送信する（手順Ｓ３６）。
【０２３９】
そして、会員端末１は、送信を要求した電子メールの受信データを受信して（手順Ｓ３７）、これをＤＲＡＭ１２３に記憶し（手順Ｓ３８）、手順Ｓ３１からの処理を繰り返す。
【０２４０】
手順Ｓ３２の判断処理において、取り込み操作がされていないと判断したときには、会員端末１は、［回線切断］タグ２０４を選択する切断操作が行われたか否かを判断し（手順Ｓ３９）、切断操作が行われたと判断したときには、この会員端末１と共通サーバ装置２との間で接続されている通信回線を切断し（手順Ｓ４０）、図１３、図１４に示した電子メールの受信データの取得処理を終了する。
【０２４１】
また、手順Ｓ３９の判断処理において、切断操作がされていないと判断したときには、選択された電子メールの受信データについての情報の表示処理や、選択された電子メールに受信データの削除要求を共通サーバ装置２に送出するなど、選択されたタグに応じた処理を行い（手順Ｓ４１）、手順Ｓ３１からの処理を繰り返す。
【０２４２】
このように、この実施の形態においては、会員端末１により電子メールの受信データを取得するために、電子メール機能を選択し、接続要求を送信することにより、共通サーバ装置２からメールリストと優先受信送信元からの電子メールの受信データとの提供を受けることができる。
【０２４３】
この場合、優先受信送信元からの電子メールの受信データについては、特別な操作をすることなく、予め共通サーバ装置２に対して、自己の優先受信送信元情報を登録しておくことにより、自動的に取得することができる。また、メールリストも提供されるので、優先受信送信元以外の送信元からの電子メールの受信データについても取得することができる。つまり、一度接続した通信回線を接続することなく、優先受信送信元からの電子メールの受信データと、優先受信送信元以外からの電子メールの受信データを取得することができる。
【０２４４】
［３、取得した優先受信送信元からの電子メールの受信データを利用する処理］  
次に、優先受信送信元からの電子メールの受信データを含む、会員端末１のＤＲＡＭ１２３に取り込まれた電子メールの受信データを利用する場合の処理について図１５のフローチャートを用いて説明する。
【０２４５】
前述のようにして、会員端末１のＤＲＡＭ１２３に記憶された電子メールの受信データを利用する場合、この実施の形態においては、ＤＲＡＭ１２３に一時記憶された電子メールの受信データを利用するための機能である電子メール受信ボックス機能を用いて利用するようにされる。
【０２４６】
この電子メール受信ボックス機能により、ＤＲＡＭ１２３に一時記憶された電子メールの受信データのメインＬＣＤ１０５Ｍへの表示や電子メールの受信データのフラッシュメモリ１２４への転送および記憶、あるいは、電子メールの受信データのＤＲＡＭ１２３かうことができるようにされる。
【０２４７】
この実施の形態においては、図７にしたように、共通サーバ装置２から提供されるメールリストにおいて、［回線切断］タグ２０４を選択して、共通サーバ装置２との通信回線を切断した後、メールリストの上端部左端に表示されている［メールリスト］タグを選択すると、会員端末１は、電子メール受信ボックス機能を実行し、図１５に示す処理を開始する。
【０２４８】
まず、会員端末１は、ＤＲＡＭ１２３に取り込んだ電子メールの受信データの一覧リストである、図８に示した取り込み一覧リストをメインＬＣＤ１０５Ｍに表示する（手順Ｓ５１）。
【０２４９】
この取り込み一覧リストは、図８に示したように、優先欄５０２を有しており、自分が共通サーバ装置２に対して登録した優先受信送信元情報に基づいて、回線接続時に、優先受信送信元以外からの電子メールの受信データに優先して提供された、優先受信送信元からの電子メールの受信データであることが表示される。また、未読欄５０１には、まだ一度も読み出されていない電子メールの受信データについては、星印（★）が表示されるので、メインＬＣＤ１０５Ｍに表示して読んだことのある電子メールの受信データか否かを簡単に認識することができるようにされている。
【０２５０】
そして、会員端末１は、使用者により入力操作が行われると（手順Ｓ５２）、その入力操作は、電子メールの受信データの取り込み一覧リストの中から目的とする電子メールの受信データを選択するためのカーソル移動か否かを判断する（手順Ｓ５３）。手順Ｓ５３の判断処理において、カーソル移動が行われたと判断したときには、カーソルの表示位置を指定された電子メールの受信データに位置付けて（手順Ｓ５４）、カーソル位置を変更した取り込み一覧リストを表示するように手順Ｓ５１からの処理を繰り返す。
【０２５１】
手順Ｓ５３の判断処理において、使用者による入力操作がカーソル移動ではないと判断したときには、使用者による入力操作は、終了操作か否かを判断する（手順Ｓ５５）。
【０２５２】
手順Ｓ５５の判断処理において、会員端末１の使用者による入力操作が、例えば、上側左端に表示された［受信ＢＯＸ］タグが選択されるなどして他の機能の実行が指示された場合には、これを終了操作であると判断して、図１５に示す処理を終了する。
【０２５３】
手順Ｓ５５の判断処理において、会員端末１の使用者による入力操作が終了操作でないと判断したときには、会員端末１の使用者による入力操作は、選択した電子メールの受信データをメインＬＣＤ１０５Ｍに表示することを指示する操作か否かを判断する（手順Ｓ５６）。
【０２５４】
手順Ｓ５６の判断処理において、電子メールの受信データの表示を指示する操作であると判断したときには、会員端末１は、電子メールの受信データの取り込み一覧リスト中において、カーソルが位置付けられている電子メールの受信データをメインＬＣＤ１０５Ｍに表示する処理を行い（手順Ｓ５７）、この表示処理が終了すると手順Ｓ５１からの処理を繰り返す。
【０２５５】
手順Ｓ５６の判断処理において、会員端末１の使用者による入力操作が、電子メールの受信データの表示を指示する操作でないと判断したときには、会員端末１の使用者による入力操作は、電子メールの受信データのフラッシュメモリ１２４への保存を指示する操作か否かを判断する（手順Ｓ５８）。
【０２５６】
手順Ｓ５８の判断処理において、電子メールの受信データのフラッシュメモリ１２４への保存を指示する操作であると判断した場合には、会員端末１は、電子メールの受信データの取り込み一覧リスト中において、カーソルが位置付けられている電子メールの受信データをフラッシュメモリ１２４に転送し、これをフラッシュメモリ１２４に記憶して、手順Ｓ５１からの処理を繰り返す。
【０２５７】
手順Ｓ５８の判断処理において、電子メールの受信データのフラッシュメモリ１２４への保存を指示する操作でないと判断した場合には、例えば、ファクシミリ受信データのＤＲＡＭ１２３からの削除処理など、会員端末１の使用者による入力操作に応じた処理を行って、手順Ｓ５１からの処理を繰り返す。
【０２５８】
このように、この実施の形態において、会員端末１は、優先受信送信元からの電子メールの受信データと、メールリストを通じて選択することにより共通サーバ装置２から取得した優先受信送信元以外からの電子メールの受信データとを、電子メール受信ボックス機能により利用することができるようにされている。
【０２５９】
なお、この実施の形態において、フラッシュメモリ１２４に記憶した電子メールの受信データを使用する場合には、図８に示したように電子メールの受信データの取り込み一覧リストにおいて、上端部左端に表示されている［受信ＢＯＸ］タグの表示位置を指示することにより、フラッシュメモリ１２４の記憶された電子メールの受信データを利用するための電子メール保存ボックス機能に切り換えられる。
【０２６０】
この電子メール保存ボックス機能は、図１５を用いて前述した電子メール受信ボックス機能の場合と同様にして、フラッシュメモリ１２４に記憶されている電子メールの受信データの一覧リストを表示し、この一覧リストを用いて、フラッシュメモリ１２４に記憶されているファクシミリ受信データのメインＬＣＤ１０５Ｍへの表示、フラッシュメモリ１２４からの削除を行うことができるものである。
【０２６１】
つまり、電子メール保存ボックス機能は、フラッシュメモリ１２４に記憶された電子メールの受信データが処理の対象であり、フラッシュメモリ１２４への保存機能を除けば、図１５を用いて前述した電子メール受信ボックス機能と同様にして、フラッシュメモリ１２４に記憶された電子メールの受信データの表示、フラッシュメモリ１２４に記憶されている電子メールの受信データの削除を行うことができるものである。
【０２６２】
このように、この実施の形態においては、予め優先受信送信元情報を共通サーバ装置に登録しておくことにより、優先受信送信元情報からの電子メールの受信データを自動的に取得することができる。また、優先受信送信元からの電子メールの受信データについては、メールリスト（図７）、電子メールの受信データの取り込み一覧リスト（図８）のいずれのリストにおいても、優先欄３０２、５０２に＊が表示されるので、優先受信送信元以外からの電子メールの受信データと区別することができる。つまり、優先受信送信元情報を登録しておくだけで、優先受信送信元からの電子メールの受信データを確実に取得して、見落としなく見ることができる。
【０２６３】
また、前述したように、メールリストと、優先受信送信元からの電子メールの受信データとがともに提供され、接続された通信回線を切断することなく、提供されたメールリストを通じて、優先受信送信元以外からの電子メールの受信データを取り込んだり、共通サーバ装置２に蓄積されている電子メールの受信データの削除を行うことができる。
【０２６４】
［優先一括ダイレクトボタンスイッチの利用］
前述の説明においては、会員端末１において電子メール機能が選択されている場合の接続要求に応じて、共通サーバ装置２が、メールリストと優先受信送信元からの電子メールの受信データとを自動的に要求元の会員端末１に送信するようにした。この場合には、会員端末１と共通サーバ装置２との間に接続された通信回線は、会員端末１の使用者が切断操作をしなければ切断されないので、優先受信送信元以外からの電子メールの受信データについても通信回線を切断することなく取得することができる。
【０２６５】
しかし、優先受信送信元からの電子メールの受信データだけを会員端末１に取り込んで、通信回線を切断し、即座に取得した優先受信送信元からの電子メールの受信データを表示して見たい場合もある。このため、この実施の形態においては、通信回線を接続し、優先受信送信元からの電子メールの受信データのみを取得して、通信回線を切断するまでを一連の処理として行うようにするための優先一括ボタンスイッチ（以下、優先一括ボタンという）が会員端末１に設けられている。
【０２６６】
この場合、例えば、会員端末１のキー釦１０８の機能キーＫ３が、この優先一括ボタンとされ、この優先一括ボタンＫ３が押下されたときには、以下に説明するように、通信回線の接続、優先受信送信元からの受信データの取得、通信回線の切断までを一連の処理として行うようにされている。
【０２６７】
図１６は、優先一括ボタンが押下された場合におこおなわれる処理（優先一括取得処理）を説明するためのフローチャートである。
【０２６８】
優先一括ボタンＫ３が押下されると、会員端末１はこれを検知して、共通サーバ装置２との接続処理を自動的に行う（手順Ｓ７１）。つまり、前述したように、フラッシュメモリ１２４に記憶されている会員識別情報、共通サーバ装置２のアドレスなどを用いて、接続要求を含む優先受信要求を生成し、これを送出する。
【０２６９】
この要求に対して、ＩＳＰサーバ７Ｉが当該アクセスしてきた端末が会員端末であるかどうかの認証を、この要求に含まれる会員識別情報を用いて行い（手順Ｓ７２）、会員端末であれば、共通サーバ装置２に接続する処理を行う（手順Ｓ７３）。
【０２７０】
そして、共通サーバ装置２は、会員端末１からの優先受信要求を受け取り、接続された会員端末がいずれの会員端末であるかを認識する（手順Ｓ７４）。次に、共通サーバ装置２は、共通サーバ装置２に既に登録されている接続要求元の会員端末１の優先受信送信元情報に基づいて、優先受信送信元からの電子メールの受信データを抽出し（手順Ｓ７５）、これを要求元の会員端末１に送信する（手順Ｓ７６）。
【０２７１】
会員端末１では、共通サーバ装置２から送信されてくるの優先受信送信元からの電子メールの受信データを受信してＤＲＡＭ１２３に記憶し（手順Ｓ７７）、共通サーバ装置２から送信される優先受信送信元からの電子メールの受信データの受信が終了したか否かを判断する（手順Ｓ７８）。この実施の形態においては、共通サーバ装置２から会員端末１に送信されてくる情報には、情報の開始位置を示すスタートコードと、情報の終了位置を示すエンドコードが付加されて送信されて来るので、このエンドコードを検出したときに、会員端末１は、優先受信送信元からの電子メールの受信データの受信が終了したと判断する。
【０２７２】
手順Ｓ７８の判断処理において、共通サーバ装置２から送信されてくる優先受信送信元からの電子メールの受信データの受信がまだ終了していないと判断したときには、会員端末１は、手順Ｓ７７の処理を続行する。
【０２７３】
手順Ｓ７８の判断処理において、共通サーバ装置２から送信されてくる優先受信送信元からの電子メールの受信データをすべて受信し終えたと判断したときには、会員端末１は、共通サーバ装置２との間で接続した通信回線を切断し（手順Ｓ７９）、この優先一括処理を終了する。
【０２７４】
そして、優先一括処理が終了したときには、会員端末１と共通サーバ装置２との間で接続された通信回線は既に切断されているので、例えば、機能一覧メニューから電子メール受信ボックス機能を選択することにより、即座に優先受信送信元からの電子メールの受信データをメインＬＣＤ１０５Ｍに表示して見ることができる。
【０２７５】
つまり、オンライン接続キーＫ２を押下したり、［回線切断］タグを選択するなどという操作を行うことなく、優先一括ボタンＫ３を押下するだけで、共通サーバ装置２から優先受信送信元からの電子メールの受信データを取得し利用することができる環境を整えることができる。
【０２７６】
［優先受信送信元からの電子メールの受信データの着信通知］  
前述したように、この実施の形態において、共通サーバ装置２は、着信通知サーバ２４を備えている。そして、共通サーバ装置２は、会員端末１宛ての電子メールやファクシミリを受信したときには、着信通知サーバ２４を通じて、送信先となる会員端末１に着信通知を行う。
【０２７７】
そして、この実施の形態おいては、優先受信送信元情報は、共通サーバ装置２に記憶されているので、会員端末１宛ての電子メールの着信が、その会員端末１の優先受信送信元から送信されたものである場合には、優先受信送信元からの電子メールの着信であることを通知するようにする。つまり、会員端末１に供給する着信通知に優先受信送信元からの電子メールの着信であることを示す情報を含めて提供するようにする。
【０２７８】
会員端末１は、共通サーバ装置２からの着信通知が、優先受信送信元からの電子メールの着信を通知するものであるときには、サブＬＣＤ１０５Ｓ、あるいは、メインＬＣＤ１０５Ｍに、前述した電子メールの着信を通知するためのマーク１５６を表示させる。この場合、例えば、マーク１５６を点滅させるなど通常の着信通知とは異なる態様で表示するようにする。
【０２７９】
これにより、優先受信送信元からの電子メールの着信があったことを会員端末１の使用者が判別できるように着信通知がされるので、優先受信送信元からの電子メールの受信データが送信されてきていることを適時に通知することができるので、会員端末１の使用者は、遅滞なく優先受信送信元からの電子メールの受信データを取得して見ることができる。
【０２８０】
また、会員端末１における着信通知は、前述したように電子メールの着信通知マーク１５６を表示するだけでなく、例えば、他の着信通知とは異なる発光パターンで会員端末１のＬＥＤ１２６を点滅させたり、他の着信通知とは異なる放音パターンでブザー１２７から着信通知音を放音するなどして着信通知を行うようにすることもできる。もちろん、音色、音量、音階などを変化させるなどして、通常の着信通知音とは異なる着信通知音を放音することにより、優先受信送信元からの電子メールの着信を通知するようにすることもできる。
【０２８１】
また、前述したＬＥＤ１２６による着信通知、ブザー１２７による着信通知、メインＬＣＤ１０５ＭまたはサブＬＣＤ１０５Ｓへの着信マークの表示などによる着信通知を併用してもよいし、これらの内の幾つかを組み合わせて用いるようにすることもできる。
【０２８２】
また、会員端末１に着信通知があったときに、会員端末１を振動させるバイブレータを搭載し、振動により着信通知を行うようにすることもできる。
【０２８３】
もちろん、優先受信送信元以外からの電子メールの着信通知と優先受信送信元からの電子メールの着信通知とで区別することなく、同じように着信通知を行うようにしてもよい。
【０２８４】
［変形例］  
前述の実施の形態においては、優先受信送信元情報は、共通サーバ装置２において記憶し管理するようにしたが、これに限るものではない。例えば、会員端末１のフラッシュメモリ１２４に優先受信送信元情報を記憶保持するようにし、会員端末１から優先受信送信元からの電子メールの受信データの提供を要求するときに、優先受信送信元情報を共通サーバ装置２に送信するようにしてもよい。
【０２８５】
つまり、前述した実施の形態において、電子メール機能が選択され、オンライン接続キーＫ２が押下されたときに、会員端末１から送出される接続要求や、優先一括ボタンＫ３が押下されたときに、会員端末１から送出される接続要求に、会員端末１において記憶されている優先受信送信元情報を含めて送信したり、これら接続要求に続けて、優先受信送信元情報を共通サーバ装置２に提供するようにしてもよい。
【０２８６】
このようにした場合には、優先受信送信元情報は、共通サーバ装置２に予め登録しておく必要がないので、会員端末１に登録したらすぐに、優先受信送信元からの電子メールの受信データを取得するようにすることができる。
【０２８７】
なお、前述の実施の形態においては、電子メールの受信データについて、優先受信送信元情報を共通サーバ装置２あるいは会員端末１に登録しておくことにより、優先受信送信元からの電子メールの受信データを優先的に取得するようにした。これと同様にして、ファクシミリ受信データ用の優先受信送信元情報を予め共通サーバ装置２に登録しておくことにより、あるいは、会員端末１に登録しておき共通サーバ装置２に提供するようにすることにより、登録した優先受信送信元からのファクシミリ受信データを他のファクシミリ受信データに優先して、かつ、自動的に共通サーバ装置２から取得するようにすることができる。
【０２８８】
この場合、ファクシミリの優先受信送信元情報は、例えば、送信元の名前と、送信元のファクシミリ装置に割り当てられている電話番号など送信元を特定することができる情報などから構成される。
【０２８９】
そして、ファクシミリの優先受信送信元からのファクシミリ受信データを優先して取得するようにする場合においても、ファクシミリ機能が選択されている場合に、オンライン接続キーＫ２が押下された場合、あるいは、ファクシミリ用の優先一括キーを別途設け、このファクシミリ用の優先一括キーが押下された場合に、共通サーバ装置２よりファクシミリの優先受信送信元からのファクシミリ受信データを、優先受信送信元以外からのファクシミリ受信データに優先して提供を受けるようにすることができる。
【０２９０】
また、電子メールの優先受信送信元情報と、ファクシミリの優先受信送信元情報とを共通サーバ装置２、あるいは、会員端末１に登録するようにした場合には、会員端末１において、優先一括キーＫ３を押下したときに、電子メールの優先受信送信元からの電子メールの受信データと、ファクシミリの優先受信送信元からのファクシミリ受信データとの両方を、共通サーバ装置２から会員端末１が提供を受けるようにすることができる。
【０２９１】
この場合、優先受信送信元からの電子メールの受信データは、会員端末１のＤＲＡＭ１２３の電子メールの受信データ用の記憶領域に記憶し、優先受信送信元からのファクシミリ受信データは、会員端末１のＤＲＡＭ１２３のファクシミリ受信データ用の記憶領域に記憶するようにしておけば、優先受信先からの電子メールの受信データと、ファクシミリ受信データとを別々に扱うことができる。
【０２９２】
このように、優先一括キーＫ３を押下するだけで、電子メールの優先受信送信元からの電子メールの受信データと、ファクシミリの優先受信送信元からのファクシミリ受信データとの両方を取得し、それぞれを会員端末１の表示画面に表示するなどして利用することができる。
【０２９３】
また、電子メール機能を選択したときにＬＣＤ１０５に表示される画面には、優先受信送信元からの電子メールの受信データの送信を要求するためのタグ（ボタンアイコン）を表示するようにし、ファクシミリ機能を選択したときにＬＣＤ１０５に表示される画面には、優先受信送信元からのファクシミリ受信データの送信を要求するためのタグ（ボタンアイコン）を表示するようにすることもできる。
【０２９４】
この場合には、電子メール機能が選択されているときに、オンライン接続キーＫ２が押下された場合、あるいは、ファクシミリ機能が選択されているときに、オンライン接続キーＫ２が押下された場合と同様に、電子メール機能を選択したときには、電子メールの優先受信送信元からの電子メールの受信データを取得し、ファクシミリ機能を選択したときには、ファクシミリの優先受信送信元からのファクシミリ受信データを取得するというように、電子メールの受信データとファクシミリ受信データとを別々に取得するようにすることができる。
【０２９５】
つまり、優先受信要求送出指示手段としては、オンライン接続キーＫ２や、優先一括キーＫ３などのようなダイレクトキーでもよいし、ＬＣＤ１０５に表示されるボタンアイコンの構成とされたタグなどであってもよい。
【０２９６】
また、電子メール機能が選択されているときにオンライン接続キーＫ２が押下された場合、あるいは、会員端末１がデータ通信モードのときに優先一括キーＫ３が押下された場合に、会員端末１と共通サーバ装置２との間に通信回線を接続し、優先受信送信元からの電子メールの受信データを取得するようにした。
【０２９７】
しかし、これに限るものではなく、既に会員端末１と共通サーバ装置２との間で通信回線が接続されている場合には、通信回線の接続処理を行うことなく、優先受信送信元からの受信データを取得することができる。
【０２９８】
例えば、優先一括キーＫ３が押下された場合であって、既に、会員端末１と共通サーバ装置２との間に通信回線が接続されている場合には、会員端末１は、共通サーバ装置２に対して、通信回線の接続要求を送信することなく、優先受信送信元からの受信データの提供を要求するようにする。このようにすることにより、会員端末１と共通サーバ装置２との間で通信回線が接続されている場合であっても、優先受信送信元からの受信データを取得することができる。
【０２９９】
また、優先受信送信元からの受信データを取得した後に、接続されている通信回線を切断するように制御することもできるし、切断せずにそのままにしておくようにすることもできる。また、接続されている通信回線を切断するか、接続したままにしておくかを会員端末１の使用者が選択できるようにし、使用者の選択に応じて接続されている通信回線の切断あるいは通信回線が接続されたままにしておくかのいずれかを選択するようにすることもできる。
【０３００】
また、この実施の形態においては、共通サーバ装置２への会員端末１からの優先受信送信元情報の追加、修正、削除は、図１１、図１２のフローチャートを用いて説明したように、共通サーバ装置２から提供されて、会員端末１のＤＲＡＭ１２３に記憶されている優先受信送信元リストを構成する優先受信送信元情報を会員端末１において整えた後、この会員端末１のＤＲＡＭ１２３に記憶されているすべての優先受信送信元情報を共通サーバ装置２に記憶されている優先受信送信元情報と置き換えるものとして説明したが、これに限るものではない。
【０３０１】
例えば、新たに追加する優先受信送信元情報だけを共通サーバ装置２に送信して、これを追加登録したり、あるいは、修正した優先受信送信先情報だけを共通サーバ装置２に送信して、共通サーバ装置２の当該優先受信送信元情報削除後に、修正後の優先受信送信元情報を追加したり、また、削除する優先受信送信元情報だけを共通サーバ装置２に通知してこれを削除するというように、処理の対象になった優先受信送信元情報毎に共通サーバ装置２への優先受信送信元情報の追加、修正、削除を行うようにすることもできる。
【０３０２】
また、前述した実施の形態においては、データ通信モード時においてのファクシミリ機能や電子メール機能などの各種の機能は、メニューキーＫ１を押下することにより表示されるメニューから、目的の機能を選択、実行するものとして説明したが、これに限るものではない。
【０３０３】
例えば、情報通信端末がデータ通信モードのときに実行可能となるファクシミリ通信機能や電子メール通信機能、あるいは、情報提供サービスを受けることができるＷＷＷブラウザ機能に対応したダイレクトキーをこの情報通信端末に設けるようにしてもよい。
【０３０４】
このように各機能に対応するダイレクトキーを設けておくようにした場合には、ダイレクトキーを押下するという簡単な操作で、目的とする機能を実行させることができる。
【０３０５】
また、前述した実施の形態においては、この発明をＰＨＳ電話端末の機能とデータ通信端末の機能とを有する複合端末である携帯無線通信端末に適用したものとして説明したが、これに限るものではない。
【０３０６】
例えば、電子メール通信が可能な通信機能を有するパーソナルコンピュータなどの通信機器とサーバ装置とにこの発明を適用することができる。
【図面の簡単な説明】
【０３０７】
【図１】この発明による情報通信システムが適用されるネットワーク構成の全体の概要を示す図である。
【図２】図１の具体的なネットワーク構成例を示す図である。
【図３】この発明によるサーバ装置の一実施の形態を示すブロック図である。
【図４】この発明による情報通信端末の一実施の形態の外観を示す図である。
【図５】この発明による情報通信端末の一実施の形態のサブＬＣＤの表示例を説明するための図である。
【図６】この発明による情報通信端末の一実施の形態のブロック図である。
【図７】サーバ装置から情報通信端末に提供されて表示される電子メールの受信データの一覧リスト（メールリスト）の一例を説明するための図である。
【図８】サーバ装置から情報通信端末に取り込まれた電子メールの受信データの一覧リスト（取り込み一覧リスト）の一例を説明するための図である。
【図９】サーバ装置から情報通信端末に提供されて表示される優先受信送信元情報の一覧リストの一例を説明するための図である。
【図１０】優先先情報の新規入力画面の一例を説明するための図である。
【図１１】この発明による情報通信システムの一実施の形態において、優先受信送信元情報の登録などを行う場合の処理を説明するためのフローチャートである。
【図１２】図１０に続くフローチャートである。
【図１３】この発明による情報通信システムの一実施の形態において、情報通信端末を用いて、サーバ装置から自分宛の電子メールの受信データを取得する場合の処理を説明するためのフローチャートである。
【図１４】図１２に続くフローチャートである。
【図１５】この発明による情報通信システムの一実施の形態における情報通信端末において取り込んだ電子メールの受信データを利用する場合の処理を説明するためのフローチャートである。
【図１６】この発明による情報通信システムの一実施の形態において、情報通信端末の優先一括ボタンを押下した場合の取得処理を説明するためのフローチャートである。
【符号の説明】
【０３０８】
１…携帯無線通信端末（会員端末）、２…共通サーバ装置、３…携帯無線通信端末用ネットワーク、４…アクセスポイント、５…専用基幹ネットワーク、６…無線基地局、７…ネットワーク管理サーバ装置、１１…コンテンツ提供装置、２１…マスターサーバ、２１Ｍ…メモリ、２２…メールサーバ、２３…ファクシミリサーバ、２４…着信通知サーバ、１００…携帯無線通信端末本体、１０１…蓋、１０２…テンキー、１０３…アンテナ、１０５Ｍ…メインＬＣＤ、１０５Ｓ…サブＬＣＤ、１０６…タッチパネル、１０８…キー釦、１２１…システムコントロール部、１２２…ＲＯＭ、１２３…ＤＲＡＭ、１２４…フラッシュメモリ
【図１】
0004529970.tif 000002
【図２】
0004529970.tif 000003
【図３】
0004529970.tif 000004
【図４】
0004529970.tif 000005
【図５】
0004529970.tif 000006
【図６】
0004529970.tif 000007
【図７】
0004529970.tif 000008
【図８】
0004529970.tif 000009
【図９】
0004529970.tif 000010
【図１０】
0004529970.tif 000011
【図１１】
0004529970.tif 000012
【図１２】
0004529970.tif 000013
【図１３】
0004529970.tif 000014
【図１４】
0004529970.tif 000015
【図１５】
0004529970.tif 000016
【図１６】
0004529970.tif 000017